(57)【要約】【課題】カラオケルームの四種類の音響映像機器を切り替える際に店員がカラオケルームへ出向く必要がなく、来店客が簡単な操作で、四種類の音響映像機器と、音響・映像装置との接続を簡単に切り替えて好みの娯楽に興じることができ、且つ、どの音響映像機器が、音響・映像装置に繋がっているか一見して判る機器選択が容易な娯楽システムの提供。【解決手段】機器選択が容易な娯楽システムＡは、四連動プッシュ式スイッチ１の押込釦１１〜１４を押込操作すると、マイクロコンピューター５６が電子スイッチ５８に指示して切替えるため、四種類の音響映像機器と、音響・映像装置との接続の切り替えができる。このため、来店者は、カラオケコマンダー４１を利用する以外に、私有の光ディスクを光ディスクプレーヤー４３で再生したり、据え置きパソコン４２や持込み携帯形端末４４０を使ってインターネットから楽曲の伴奏データを取り込んで再生することができる。【選択図】図１
2019191316.tif 000002
【特許請求の範囲】
【請求項１】
第１〜第４の釦を押圧すると各電気接点が閉成する単投形の第１〜第４の押釦スイッチと、      
該第１〜第４の押釦スイッチの近傍に配設される第１〜第４のランプと、
スピーカー群とアンプとを備えた音響装置と、
動画や静止画の表示が可能な映像装置と、
歌唱者が発声する音声を音声電気信号に変換するとともに、この音声電気信号を赤外線や電波に重畳させるマイクと、
捉えた前記赤外線や前記電波から前記音声電気信号を復調して増幅し、この増幅した音声信号を二系統出力するマイクレシーバーと、
ネットワークを介してサーバから配信される多数の楽曲データーを格納する記憶装置を有し、楽曲背景映像の映像信号と、前記マイクレシーバーが出力する一方の音声信号を楽曲空演奏の音響信号に重畳した歌唱入音響信号とを出力するカラオケコマンダーと、
インターネット回線に接続されるとともに、押しボタン式の電源スイッチを有し、映像信号および音響信号を出力する据え置きパソコンと、
各種光ディスクが再生可能であり、映像信号および音響信号を出力する光ディスクプレーヤーと、
持込み携帯形端末の出力ポートに接続し、映像信号および音響信号を出力する信号変換器と、
前記マイクレシーバーが出力する他方の音声信号のレベルを調整し、この調整済音声信号を出力する音声ミキサー、該音声ミキサーが出力する前記調整済音声信号と前記据え置きパソコンが出力する前記音響信号とを重畳して第１の音響信号を出力する第１の音響信号重畳回路、前記音声ミキサーが出力する前記調整済音声信号と前記光ディスクプレーヤーが出力する前記音響信号とを重畳して第２の音響信号を出力する第２の音響信号重畳回路、前記音声ミキサーが出力する前記調整済音声信号と前記信号変換器が出力する前記音響信号とを重畳して第３の音響信号を出力する第３の音響信号重畳回路、前記第１〜第４の釦の押圧を各電気接点の閉成から検出する押圧検出回路、マイクロコンピューター、前記第１〜第４のランプへ通電を行うランプ通電回路、および電子スイッチを備えた音響映像セレクターとをカラオケルームに配設し、
前記据え置きパソコンの前記電源スイッチへ操作ケーブルにより電気接続した副電源スイッチと、前記ランプ通電回路の前記第２のランプへ通電を行う部位に接続ケーブルにより電気接続し前記副電源スイッチの近傍に設けられるパソコン起動依頼ランプとを店員待機室に配設した機器選択が容易な娯楽システムであって、
前記マイクロコンピューターは、
前記第１の釦のみの押圧を前記押圧検出回路が検出すると、前記カラオケコマンダーの前記映像信号および前記歌唱入音響信号が、それぞれ、前記映像装置および前記音響装置の前記アンプへ入力される様に前記電子スイッチを操作するとともに、前記第１のランプへ通電を行う様に前記ランプ通電回路へ指示し、
前記第２の釦のみの押圧を前記押圧検出回路が検出すると、前記据え置きパソコンが出力する前記映像信号および前記第１の音響信号が、それぞれ、前記映像装置および前記音響装置の前記アンプへ入力される様に前記電子スイッチを操作するとともに、前記第２のランプへ通電を行う様に前記ランプ通電回路へ指示し、
前記第３の釦のみの押圧を前記押圧検出回路が検出すると、前記光ディスクプレーヤーが出力する前記映像信号および前記第２の音響信号が、それぞれ、前記映像装置および前記音響装置の前記アンプへ入力される様に前記電子スイッチを操作するとともに、前記第３のランプへ通電を行う様に前記ランプ通電回路へ指示し、
前記第４の釦のみの押圧を前記押圧検出回路が検出すると、前記信号変換器が出力する前記映像信号および前記第３の音響信号が、それぞれ、前記映像装置および前記音響装置の前記アンプへ入力される様に前記電子スイッチを操作するとともに、前記第４のランプへ通電を行う様に前記ランプ通電回路へ指示することを特徴とする機器選択が容易な娯楽システム。
【請求項２】
前記前記副電源スイッチおよび前記パソコン起動依頼ランプを廃止して、
前記ランプ通電回路の前記第２のランプへ通電を行う部位に電圧が引加されると、前記据え置きパソコンの前記電源スイッチの接点を電気的に閉成して開成するパソコン起動手段を設けたことを特徴とする請求項１に記載の機器選択が容易な娯楽システム。
【請求項３】
第１〜第４押込釦の内の任意の押込釦の押込操作により他の押込釦を初期位置に復帰させて各電気接点を開閉する単投形の四連動プッシュ式スイッチと、    
スピーカー群とアンプとを備えた音響装置と、
動画や静止画の表示が可能な映像装置と、
歌唱者が発声する音声を音声電気信号に変換するとともに、この音声電気信号を赤外線や電波に重畳させるマイクと、
捉えた前記赤外線や前記電波から前記音声電気信号を復調して増幅し、この増幅した音声信号を二系統出力するマイクレシーバーと、
ネットワークを介してサーバから配信される多数の楽曲データーを格納する記憶装置を有し、楽曲背景映像の映像信号と、前記マイクレシーバーが出力する一方の音声信号を楽曲空演奏の音響信号に重畳した歌唱入音響信号とを出力するカラオケコマンダーと、
マジックパケットを受信すると起動する様にＢＩＯＳでＷａｋｅ  Ｏｎ  ＬＡＮが設定され、映像信号および音響信号を出力する据え置きパソコンと、
各種光ディスクが再生可能であり、映像信号および音響信号を出力する光ディスクプレーヤーと、
持込み携帯形端末の出力ポートに接続し、映像信号および音響信号を出力する信号変換器と、
前記マイクレシーバーが出力する他方の音声信号のレベルを調整し、この調整済音声信号を出力する音声ミキサー、該音声ミキサーが出力する前記調整済音声信号と前記据え置きパソコンが出力する前記音響信号とを重畳して第１の音響信号を出力する第１の音響信号重畳回路、前記音声ミキサーが出力する前記調整済音声信号と前記光ディスクプレーヤーが出力する前記音響信号とを重畳して第２の音響信号を出力する第２の音響信号重畳回路、前記音声ミキサーが出力する前記調整済音声信号、前記信号変換器が出力する前記音響信号とを重畳して第３の音響信号を出力する第３の音響信号重畳回路、前記第１〜第４押込釦の押込を各電気接点の閉成状態から検出する押込検出回路、マイクロコンピューター、起動指令送出回路、および電子スイッチを備えた音響映像セレクターとをカラオケルームに配設し、
第１のＬＡＮケーブルを介して前記カラオケルームに配置した前記パソコンにＬＡＮ接続され、インターネットに常時接続されるハブ付ルーターと、
前記カラオケルームに配置した前記音響映像セレクターの前記起動指令送出回路に接続ケーブルを介して電気接続されるパソコン起動依頼ランプと、
第２のＬＡＮケーブル、前記ハブ付ルーター、および前記第１のＬＡＮケーブルを介して前記据え置きパソコンへ前記マジックパケットを送出可能な制御用のパソコンとを店員待機室に配設した機器選択が容易な娯楽システムであって、
前記マイクロコンピューターは、
前記第１押込釦の押込を前記押込検出回路が検出すると、前記カラオケコマンダーの前記映像信号および前記歌唱入音響信号が、それぞれ、前記映像装置および前記音響装置の前記アンプへ入力される様に前記電子スイッチを操作し、
前記第２押込釦の押込を前記押込検出回路が検出すると、前記据え置きパソコンが出力する前記映像信号および前記第１の音響信号が、それぞれ、前記映像装置および前記音響装置の前記アンプへ入力される様に前記電子スイッチを操作するとともに、起動指令として前記パソコン起動依頼ランプへ通電を行う様に前記起動指令送出回路へ指示し、
前記第３押込釦の押込を前記押込検出回路が検出すると、前記光ディスクプレーヤーが出力する前記映像信号および前記第２の音響信号が、それぞれ、前記映像装置および前記音響装置の前記アンプへ入力される様に前記電子スイッチを操作し、
前記第４押込釦の押込を前記押込検出回路が検出すると、前記信号変換器が出力する前記映像信号および前記第３の音響信号が、それぞれ、前記映像装置および前記音響装置の前記アンプへ入力される様に前記電子スイッチを操作することを特徴とする機器選択が容易な娯楽システム。
【請求項４】
前記パソコン起動依頼ランプを廃止し、
前記起動指令送出回路からの起動指令を前記制御用のパソコンが受けると、この制御用のパソコンから前記据え置きパソコンへ前記マジックパケットを送出することを特徴とする請求項３に記載の機器選択が容易な娯楽システム。
【請求項５】
第１〜第４押込釦の内の任意の押込釦の押込操作により他の押込釦を初期位置に復帰させて各電気接点を開閉する単投形の四連動プッシュ式スイッチと、    
該四連動プッシュ式スイッチの第１〜第４押込釦の近傍に配設される第１〜第４のランプと、
スピーカー群とアンプとを備えた音響装置と、
動画や静止画の表示が可能な映像装置と、
歌唱者が発声する音声を音声電気信号に変換するとともに、この音声電気信号を赤外線や電波に重畳させるマイクと、
捉えた前記赤外線や前記電波から前記音声電気信号を復調して増幅し、この増幅した音声信号を二系統出力するマイクレシーバーと、
ネットワークを介してサーバから配信される多数の楽曲データーを格納する記憶装置を有し、楽曲背景映像の映像信号と、前記マイクレシーバーが出力する一方の音声信号を楽曲空演奏の音響信号に重畳した歌唱入音響信号とを出力するカラオケコマンダーと、
マジックパケットを受信すると起動する様にＢＩＯＳでＷａｋｅ  Ｏｎ  ＬＡＮが設定され、映像信号および音響信号を出力する据え置きパソコンと、
各種光ディスクが再生可能であり、映像信号および音響信号を出力する光ディスクプレーヤーと、
持込み携帯形端末の出力ポートに接続し、映像信号および音響信号を出力する信号変換器と、
前記マイクレシーバーが出力する他方の音声信号のレベルを調整し、この調整済音声信号を出力する音声ミキサー、該音声ミキサーが出力する前記調整済音声信号と前記据え置きパソコンが出力する前記音響信号とを重畳して第１の音響信号を出力する第１の音響信号重畳回路、前記音声ミキサーが出力する前記調整済音声信号と前記光ディスクプレーヤーが出力する前記音響信号とを重畳して第２の音響信号を出力する第２の音響信号重畳回路、前記音声ミキサーが出力する前記調整済音声信号と前記信号変換器が出力する前記音響信号とを重畳して第３の音響信号を出力する第３の音響信号重畳回路、前記第１〜第４押込釦の押込を各電気接点の閉成状態から検出する押込検出回路、マイクロコンピューター、前記第１〜第４のランプへ通電を行うランプ通電回路、および電子スイッチを備えた音響映像セレクターとをカラオケルームに配設し、
第１のＬＡＮケーブルを介して前記カラオケルームに配置した前記据え置きパソコンにＬＡＮ接続され、インターネットに常時接続されるハブ付ルーターと、
前記カラオケルームに配置した前記音響映像セレクターの前記ランプ通電回路の前記  第２のランプへ通電を行う部位に、接続ケーブルを介して電気接続したパソコン起動依頼ランプと、
第２のＬＡＮケーブル、前記ハブ付ルーター、および前記第１のＬＡＮケーブルを介して前記パソコンへ前記マジックパケットを送出可能な制御用のパソコンとを店員待機室に配設した娯楽システムであって、
前記マイクロコンピューターは、
前記第１押込釦の押込を前記押込検出回路が検出すると、前記カラオケコマンダーの前記映像信号および前記歌唱入音響信号が、それぞれ、前記映像装置および前記音響装置の前記アンプへ入力される様に前記電子スイッチを操作するとともに、前記第１のランプへ通電を行う様に前記ランプ通電回路へ指示し、
前記第２押込釦の押込を前記押込検出回路が検出すると、前記据え置きパソコンが出力する前記映像信号および前記第１の音響信号が、それぞれ、前記映像装置および前記音響装置の前記アンプへ入力される様に前記電子スイッチを操作するとともに、前記第２のランプへ通電を行う様に前記ランプ通電回路へ指示し、
前記第３押込釦の押込を前記押込検出回路が検出すると、前記光ディスクプレーヤーが出力する前記映像信号および前記第２の音響信号が、それぞれ、前記映像装置および前記音響装置の前記アンプへ入力される様に前記電子スイッチを操作するとともに、前記第３のランプへ通電を行う様に前記ランプ通電回路へ指示し、
前記第４押込釦の押込を前記押込検出回路が検出すると、前記信号変換器が出力する前記映像信号および前記第３の音響信号が、それぞれ、前記映像装置および前記音響装置の前記アンプへ入力される様に前記電子スイッチを操作するとともに、前記第４のランプへ通電を行う様に前記ランプ通電回路へ指示することを娯楽システム。
【請求項６】
前記パソコン起動依頼ランプを廃止し、
前記第２のランプへ通電されていることを前記接続ケーブルを介して前記制御用のパソコンが把握すると、この制御用のパソコンから前記据え置きパソコンへ前記マジックパケットを送出することを特徴とする請求項５に記載の機器選択が容易な娯楽システム。
【発明の詳細な説明】
【技術分野】
【０００１】
本発明は、音響映像セレクターを用いた、機器選択が容易な娯楽システムに関する。
【背景技術】
【０００２】
カラオケルームに設置されているカラオケシステムは、通常、大形のディスプレイや大迫力の音響装置が、複数の接続ケーブルでカラオケコマンダーに接続されており、来店した複数人の客がカラオケを楽しめる様になっている。
しかし、ディスプレイや音響装置をカラオケ以外の目的（ビデオゲーム、映画鑑賞、テレビの試聴）に使おうとすると、複数のケーブルを繋ぎ替える必要がある。
特許文献１には、映像信号切り替え手段を有するカラオケシステムが記載されている。  特許文献２には、入力セレクタを有するホームシアターが記載されている。
【先行技術文献】
【特許文献】
【０００３】
【特許文献１】特開平１０−２８２９７５号公報
【特許文献２】特開平２０１１−４１２２７号公報
【発明の概要】
【発明が解決しようとする課題】
【０００４】
特許文献１のカラオケシステムでは、カラオケプレーヤの画像以外に、カメラで撮影している客席の映像と、ビデオプレーヤーの再生動画や静止画とを映像信号切り替え手段（入力画像切り替え手段）で切り替えて、別カメラで撮影している歌唱者の映像をはめ込んでいる。
【０００５】
しかし、特許文献１のカラオケシステムは、映像信号切り替え手段がリモコンで制御されるので切替の操作性が悪い（選曲等のコマンダー操作も兼ねているため）とともに、現在の切替状態が一目で判らない。
【０００６】
特許文献２のホームシアターでは、パソコン、カラオケ機器、およびゲーム機器を組み込んでＡＶ機器とし、このＡＶ機器に内蔵した入力セレクタで使う機器を切り替えて、それらのソフトを大画面と迫力音響で提供可能としている。
【０００７】
しかし、全ての機器を組み込んでＡＶ機器としているので、ＡＶ機器が嵩張るとともにメンテナンス性が悪い。また、ＡＶ機器に入力セレクタが内蔵しているので、切替の操作性が悪い（目立たないため）とともに、現在の切替状態が一目で判らない。
【０００８】
また、最近、インターネットに接続したパソコンをカラオケのシステムに繋いで、カラオケルームで下記の娯楽に興じたいというニューズがある。
・オンライン映画を、大画面と大迫力音響で仲間と鑑賞したい。
・大画面と迫力音響で、海外のスポーツのライブ中継を仲間と楽しみたい。
・プロモーション音楽ビデオの配信を行いたい。
・歌手とともに、大画面と大迫力音響で歌唱したい。
・海外のカラオケ楽曲を、大画面と大迫力音響で歌唱したい。
・オンラインゲームを、大画面と大迫力音響でプレイしたい。
・動画配信サイトの動画を、大画面と大迫力音響で仲間と鑑賞したい。
【０００９】
さらに、カラオケルームで下記の娯楽に興じたいという客のニューズもある。
・ＢＤやＤＶＤを持ち込んで、大画面と迫力音響で仲間と鑑賞したい。
・自前の携帯端末（スマートフォン、ノートパソコン、タブレットなど）を持ち込んで  、その携帯端末に格納されているコンテンツを大画面と迫力音響で鑑賞したい。
【００１０】
また、音響映像機器を切り替える場合、下記の課題がある。
来店客の要望に応じて、カラオケコマンダーを含む複数の音響映像機器と、音響映像試聴装置（大画面モニター＋大迫力音響装置）との接続切り替えをカラオケルームの店員が、その都度、行う場合は、そのカラオケルームに出向いて作業を行う必要があるため、時間と手間がかかる。また、接続切り替えを来店客が行う様にすると、その接続変更作業に時間と手間がかかるとともに、誤接続により機器が破損する虞もある。
【００１１】
なお、故障防止および節電の観点から、音響映像機器の１つであるカラオケルームの据え置きパソコンを来店客が選択するまでは、据え置きパソコンの電源がオフになっており、据え置きパソコンが選択されると、据え置きパソコンに電源が入る構成が好ましい。
【００１２】
つまり、複数の音響映像機器を切り替えるための音響映像セレクターの操作を来店客が容易にでき、且つ、現在、どの音響映像機器が音響映像試聴装置に繋がっているか、来店客が一見して、判ることが必要である。
【００１３】
本発明の目的は、カラオケルームの四種類の音響映像機器（カラオケコマンダー、据え置きパソコン、光ディスクプレーヤー、来店客自前の携帯端末）を切り替える際に店員がカラオケルームへ出向く必要がなく、来店客が簡単な操作で、四種類の音響映像機器と、音響・映像装置（アンプ・モニター）との接続を簡単に切り替えて好みの娯楽に興じることができ、且つ、どの音響映像機器が、音響・映像装置に繋がっているか一見して判る機器選択が容易な娯楽システムの提供にある。
【課題を解決するための手段】
【００１４】
［請求項１について］
請求項１の機器選択が容易な娯楽システムは、第１〜第４の押釦スイッチと、第１〜第４のランプと、音響装置と、映像装置と、マイクと、マイクレシーバーと、カラオケコマンダーと、据え置きパソコンと、光ディスクプレーヤーと、信号変換器と、音響映像セレクターとをカラオケルームに配設している。また、副電源スイッチとパソコン起動依頼ランプとを店員待機室に配設している。
【００１５】
第１〜第４の押釦スイッチは、単投形であり、第１〜第４の釦を押圧すると各電気接点が閉成する構造である。
第１〜第４のランプは、第１〜第４の押釦スイッチの近傍に配設されている。
音響装置は、スピーカー群とアンプとを備える。
映像装置は、動画や静止画の表示が可能である。
【００１６】
マイクは、歌唱者が発声する音声を音声電気信号に変換するとともに、この音声電気信号を赤外線や電波に重畳させる。
マイクレシーバーは、捉えた赤外線や電波から音声電気信号を復調して増幅し、この増幅した音声信号を二系統出力する。
【００１７】
カラオケコマンダーは、ネットワークを介してサーバから配信される多数の楽曲データーを格納する記憶装置を有し、楽曲背景映像の映像信号と、マイクレシーバーが出力する一方の音声信号を楽曲空演奏の音響信号に重畳した歌唱入音響信号とを出力する。
【００１８】
押しボタン式の電源スイッチを有する据え置きパソコンは、インターネット回線に接続されるとともに、映像信号および音響信号を出力する。
光ディスクプレーヤーは、各種光ディスクが再生可能であり、映像信号および音響信号を出力する。
【００１９】
信号変換器は、来店客がカラオケルームに持ち込んだ、持込み携帯形端末の出力ポートに接続し、映像信号および音響信号を出力する。
【００２０】
音響映像セレクターは、音声ミキサーと、第１〜第３の音響信号重畳回路と、押圧検出回路と、マイクロコンピュータと、第１〜第４のランプへ通電を行うランプ通電回路と、電子スイッチとを備える。
【００２１】
音声ミキサーは、マイクレシーバーが出力する他方の音声信号のレベルを調整し、この調整済音声信号を出力する。
【００２２】
第１の音響信号重畳回路は、音声ミキサーが出力する調整済音声信号と、据え置きパソコンが出力する音響信号とを重畳して第１の音響信号を出力する。
【００２３】
第２の音響信号重畳回路は、音声ミキサーが出力する調整済音声信号と、光ディスクプレーヤーが出力する音響信号とを重畳して第２の音響信号を出力する。
【００２４】
第３の音響信号重畳回路は、音声ミキサーが出力する調整済音声信号と、信号変換器が出力する音響信号とを重畳して第３の音響信号を出力する。
【００２５】
押圧検出回路は、第１〜第４の押釦スイッチの第１〜第４の釦の押圧を、各電気接点の閉成から検出する。
【００２６】
カラオケルームに配設した音響映像セレクターのマイクロコンピューターは、下記の様に作動する。
来店者が第１の押釦スイッチの第１の釦を押圧すると、第１の押釦スイッチの第１の釦のみの押圧を押圧検出回路が検出するため、マイクロコンピューターは、カラオケコマンダーの映像信号および歌唱入音響信号が、それぞれ、映像装置および音響装置のアンプへ入力される様に電子スイッチを操作するとともに、第１のランプへ通電を行う様にランプ通電回路へ指示する。
【００２７】
来店者が第２の押釦スイッチの第２の釦を押圧すると、第２の押釦スイッチの第２の釦のみの押圧を押圧検出回路が検出するため、マイクロコンピューターは、据え置きパソコンが出力する映像信号および第１の音響信号が、それぞれ、映像装置および音響装置のアンプへ入力される様に電子スイッチを操作するとともに、第２のランプへ通電を行う様にランプ通電回路へ指示する。
【００２８】
なお、ランプ通電回路の第２のランプへ通電を行う部位に接続ケーブルによりパソコン起動依頼ランプが電気接続されているので、パソコン起動依頼ランプが点灯する。
パソコン起動依頼ランプの点灯を店員待機室にいる店員が確認すると、店員が副電源スイッチを押圧操作する。副電源スイッチは、接続ケーブルにより据え置きパソコンの電源スイッチに電気接続されているので、据え置きパソコンの電源が入り起動する。
【００２９】
第３の押釦スイッチの第３の釦のみの押圧を押圧検出回路が検出すると、マイクロコンピューターは、光ディスクプレーヤーが出力する映像信号および第２の音響信号が、それぞれ、映像装置および音響装置のアンプへ入力される様に電子スイッチを操作するとともに、第３のランプへ通電を行う様にランプ通電回路へ指示する。
【００３０】
第４の押釦スイッチの第４の釦のみの押圧を押圧検出回路が検出すると、マイクロコンピューターは、信号変換器が出力する映像信号および第３の音響信号が、それぞれ、映像装置および音響装置のアンプへ入力される様に電子スイッチを操作するとともに、第４のランプへ通電を行う様にランプ通電回路へ指示する。
【００３１】
店員待機室に配設される副電源スイッチは、据え置きパソコンの電源スイッチへ操作ケーブルにより電気接続されている。
副電源スイッチの近傍に設けられるパソコン起動依頼ランプは、ランプ通電回路の第２のランプへ通電を行う部位に接続ケーブルにより電気接続されている。
【００３２】
請求項１の機器選択が容易な娯楽システムは、下記の利点を有する。
カラオケ店に来店した来店者（同伴者も含む）が、第１〜第４の押釦スイッチの第１〜第４の釦の何れかを押圧すれば、四種類の機器（カラオケコマンダー、据え置きパソコン、光ディスクプレーヤー、持込み携帯形端末）を簡単に切り替えることができる。
【００３３】
第１〜第４の押釦スイッチは、単投形で、第１〜第４の釦の何れか１つを押圧する（押圧中、電気接点が閉になる）と、押圧した第１〜第４の押釦スイッチに対応する第１〜第４のランプが点灯するので、現在、どの機器が、音響装置および映像装置に接続されているか一目で判る、このため、来店者は、第１〜第４のランプの点灯状態を見れば、どの機器（カラオケコマンダー、据え置きパソコン、光ディスクプレーヤー、持込み携帯形端末）が利用できるのか容易に判別できる。
【００３４】
なお、第１〜第４の釦のみの押圧を押圧検出回路が検出するとマイクロコンピューターが、電子スイッチを操作するとともに、第１〜第４のランプへ通電を行う様にランプ通電回路へ指示する構成であるので、異なる押釦スイッチの複数同時押しを無効にできるとともに、押圧を解除して押釦が戻っても、機器と、音響・映像装置との接続が維持されるとともに、第１〜第４の押釦スイッチの何れかの釦を押圧したのかを、第１〜第４のランプの点灯状態から容易に判別できる。
また、第１〜第４の押釦スイッチは、単投形の押し釦式であるので、押し易いとともに、嵩張らない。
【００３５】
来店者が押釦スイッチの第３の釦を押圧すれば、光ディスクプレーヤーが音響装置および映像装置に電気的に接続され、第２の釦を押圧すれば、据え置きパソコンが音響装置および映像装置に電気的に接続され、第４の釦を押圧すれば、ケーブルを繋ぎ替えることなく、持込み携帯形端末が音響装置および映像装置に電気的に接続される。
【００３６】
このため、カラオケ店に来店した来店者は、楽曲の伴奏データが入った私有の光ディスクを持ち込んで光ディスクプレーヤーで再生したり、据え置きパソコンや、私有の持込み携帯形端末を使ってインターネットから楽曲の伴奏データを取り込んで利用することができる。また、下記に示す様に、カラオケ以外の娯楽を、来店者本人または仲間達と手軽に楽しむことができる。
【００３７】
・オンライン映画配信サイトへ、据え置きパソコンを使ってアクセスし、大画面と大迫  力音響で、仲間と映画を鑑賞できる。
・海外のスポーツのライブ中継配信サイトへ、据え置きパソコンを使ってアクセスし、  大画面と迫力音響で、仲間とスポーツ中継を楽しむことができる。
・ストリーミング配信サイトへ、据え置きパソコンを使ってアクセスし、来店者のプロ  モーション音楽ビデオのライブ配信を行うことができる。
・ライブ配信サイトへ、据え置きパソコンを使ってアクセスし、歌唱している歌手とと  もに、大画面と大迫力音響で歌唱することができる。
・海外のカラオケ楽曲が利用できるサイトへ、据え置きパソコンを使ってアクセスし、  大画面と大迫力音響で、その楽曲を歌唱することができる。
・オンラインゲームサイトへ、据え置きパソコンを使ってアクセスし、大画面と大迫力  音響でプレイすることができる。
・動画配信サイトへ、据え置きパソコンを使ってアクセスし、そのサイトの動画を、大  画面と大迫力音響で仲間達と鑑賞することができる。
【００３８】
請求項１の機器選択が容易な娯楽システムは、第２の押釦スイッチの第２の釦を押圧操作して、店員待機室のパソコン起動依頼ランプを点灯させる事によりカラオケルームの据え置きパソコンの起動を店員に依頼し、店員が副電源スイッチを押圧操作するまでは、据え置きパソコンの電源がオフになっているので、据え置きパソコンの故障防止が図れるとともに、節電も図れる。
【００３９】
［請求項２について］
請求項１を引用する請求項２の機器選択が容易な娯楽システムは、副電源スイッチおよびパソコン起動依頼ランプを廃止し、この代わりにパソコン起動手段を設けている。
このパソコン起動手段は、ランプ通電回路の第２のランプへ通電を行う部位に電圧が引加されると、据え置きパソコンの電源スイッチの接点を電気的に閉成して開成する。これにより、据え置きパソコンが起動する。
【００４０】
請求項２の機器選択が容易な娯楽システムは、来店客が第２の押釦スイッチの第２の釦を押圧操作すると、第２のランプが点灯するとともに、据え置きパソコンが起動するため、店員待機室で待機している店員がパソコン起動依頼ランプの点灯を見て副電源スイッチを押圧操作するという手間が省ける。
【００４１】
［請求項３について］
請求項３の機器選択が容易な娯楽システムは、四連動プッシュ式スイッチと、音響装置と、映像装置と、マイクと、マイクレシーバーと、カラオケコマンダーと、据え置きパソコンと、光ディスクプレーヤーと、信号変換器と、音響映像セレクターとをカラオケルームに配設している。そして、ハブ付ルーターと、パソコン起動依頼ランプと、制御用のパソコンとを店員待機室に配設している。
【００４２】
四連動プッシュ式スイッチは、第１〜第４押込釦の内の任意の押込釦を押込操作すると、他の押込釦が初期位置に復帰して各電気接点が開閉する単投形であり、複数同時押込操作を機械的に防止している。なお、四連動プッシュ式スイッチの第１〜第４押込釦の押込状態から、どの機器が、音響・映像装置へ接続されているのか判別できる。
音響装置は、スピーカー群とアンプとを備える。
映像装置は、動画や静止画の表示が可能である。
【００４３】
マイクは、歌唱者が発声する音声を音声電気信号に変換するとともに、この音声電気信号を赤外線や電波に重畳させる。
マイクレシーバーは、捉えた赤外線や電波から音声電気信号を復調して増幅し、この増幅した音声信号を二系統出力する。
【００４４】
カラオケコマンダーは、ネットワークを介してサーバから配信される多数の楽曲データーを格納する記憶装置を有し、楽曲背景映像の映像信号と、マイクレシーバーが出力する一方の音声信号を楽曲空演奏の音響信号に重畳した歌唱入音響信号とを出力する。
音声ミキサーは、マイクレシーバーが出力する他方の音声信号のレベルを調整し、この調整済音声信号を出力する。
【００４５】
映像信号および音響信号を出力する据え置きパソコンは、カラオケルームに設置され、マジックパケットを受信すると起動する様に、ＢＩＯＳでＷａｋｅ  Ｏｎ  ＬＡＮが設定されている。
【００４６】
光ディスクプレーヤは、各種光ディスクが再生可能であり、映像信号および音響信号を出力する。
信号変換器は、来店客がカラオケルームに持ち込んだ持込み携帯形端末の出力ポートに接続し、映像信号および音響信号を出力する。
音響映像セレクターは、音声ミキサーと、第１〜第３の音響信号重畳回路と、第１〜第４押込釦の押込を、各電気接点の閉成状態から検出する押込検出回路と、マイクロコンピュータと、起動指令送出回路と、電子スイッチとを備える。
【００４７】
第１の音響信号重畳回路は、音声ミキサーが出力する調整済音声信号と、パソコンが出力する音響信号とを重畳して第１の音響信号を出力する。
第２の音響信号重畳回路は、音声ミキサーが出力する調整済音声信号と、光ディスクプレーヤーが出力する音響信号とを重畳して第２の音響信号を出力する。
第３の音響信号重畳回路は、音声ミキサーが出力する調整済音声信号と、信号変換器が出力する音響信号とを重畳して第３の音響信号を出力する。
【００４８】
店員待機室に配設され、インターネットに常時接続されるハブ付ルーターは、第１のＬＡＮケーブルを介してカラオケルームに配設した据え置きパソコンにＬＡＮ接続される。  
【００４９】
パソコン起動依頼ランプは、カラオケルームに配置した音響映像セレクターの起動指令送出回路に接続ケーブルを介して電気接続される。
【００５０】
店員待機室に配設した制御用のパソコンは、この制御用のパソコンとハブ付ルータとを接続する第２のＬＡＮケーブルと、ハブ付ルーターと、ハブ付ルータとカラオケルームの据え置きパソコンとを接続する第１のＬＡＮケーブルとを介して、上記据え置きパソコンへマジックパケットを送出可能である。
【００５１】
カラオケルームに配設した音響映像セレクターのマイクロコンピューターは、下記の様に作動する。
来店者が四連動プッシュ式スイッチの第１押込釦を押込操作すると、第１押込釦の押込を押込検出回路が検出するため、マイクロコンピューターは、カラオケコマンダーの映像信号および歌唱入音響信号が、それぞれ、映像装置および音響装置のアンプへ入力される様に電子スイッチを操作する。
【００５２】
来店者が四連動プッシュ式スイッチの第２押込釦を押込操作すると、第２押込釦の押込を押込検出回路が検出するため、マイクロコンピューターは、据え置きパソコンが出力する映像信号および第１の音響信号が、それぞれ、映像装置および音響装置のアンプへ入力される様に電子スイッチを操作するとともに、接続ケーブルを介して店員待機室のパソコン起動依頼ランプへ通電を行う様に起動指令送出回路へ指示する。
【００５３】
パソコン起動依頼ランプの点灯を店員待機室にいる店員が確認すると、店員は、店員待機室に配設した制御用のパソコンから、第２のＬＡＮケーブル、ハブ付ルーター、および第１のＬＡＮケーブルを介してカラオケルームの据え置きパソコンへマジックパケットを送る。
これにより、カラオケルームの据え置きパソコンの電源が入り起動する。
【００５４】
来店者が四連動プッシュ式スイッチの第３押込釦を押込操作すると、第３押込釦の押込を押込検出回路が検出するため、マイクロコンピューターは、光ディスクプレーヤーが出力する映像信号および第２の音響信号が、それぞれ、映像装置および音響装置のアンプへ入力される様に電子スイッチを操作する。
【００５５】
来店者が四連動プッシュ式スイッチの第４押込釦を押込操作すると、第４押込釦の押込を押込検出回路が検出するため、マイクロコンピューターは、信号変換器が出力する映像信号および第３の音響信号が、それぞれ、映像装置および音響装置のアンプへ入力される様に電子スイッチを操作する。
【００５６】
請求項３の機器選択が容易な娯楽システムは、下記の利点を有する。
カラオケ店に来店した来店者（同伴者も含む）が、四連動プッシュ式スイッチの第１〜第４押込釦の内の何れかの押込釦を押圧すれば、四種類の機器（カラオケコマンダー、据え置きパソコン、光ディスクプレーヤー、持込み携帯形端末）を簡単に切り替えることができる。
【００５７】
単投形の四連動プッシュ式スイッチは、第１〜第４押込釦の内の任意の押込釦の押込操作すると、他の押込釦が初期位置に復帰して各電気接点が開閉する構造であるので、現在、どの機器が音響装置と映像装置に接続されているか容易に判る。具体的には、来店者が四連動プッシュ式スイッチの押込釦の押込具合を見れば、どの機器（カラオケコマンダー、据え置きパソコン、光ディスクプレーヤー、持込み携帯形端末）が利用できるのか容易に判別できる。
【００５８】
四連動プッシュ式スイッチの第３、第２、第４押込釦の内の何れか一つを来店者が押込操作すれば、ケーブルを繋ぎ替えることなく、光ディスクプレーヤー、据え置きパソコン、または持込み携帯形端末が、映像装置および音響装置に電気的に接続される。
【００５９】
このため、カラオケ店に来店した来店者は、楽曲の伴奏データが入った私有の光ディスクを持ち込んで光ディスクプレーヤーで再生したり、据え置きパソコンや、私有の持込み携帯形端末を使ってインターネットから楽曲の伴奏データを取り込んで利用することができる。また、下記に示す様に、カラオケ以外の娯楽を、来店者本人または仲間達と手軽に楽しむことができる。
【００６０】
・オンライン映画配信サイトへ、据え置きパソコンを使ってアクセスし、大画面と大迫  力音響で、仲間と映画を鑑賞できる。
・海外のスポーツのライブ中継配信サイトへ、据え置きパソコンを使ってアクセスし、  大画面と迫力音響で、仲間とスポーツ中継を楽しむことができる。
・ストリーミング配信サイトへ、据え置きパソコンを使ってアクセスし、来店者のプロ  モーション音楽ビデオのライブ配信を行うことができる。
・ライブ配信サイトへ、据え置きパソコンを使ってアクセスし、歌唱している歌手とと  もに、大画面と大迫力音響で歌唱することができる。
・海外のカラオケ楽曲が利用できるサイトへ、据え置きパソコンを使ってアクセスし、  大画面と大迫力音響で、その楽曲を歌唱することができる。
・オンラインゲームサイトへ、据え置きパソコンを使ってアクセスし、大画面と大迫力  音響でプレイすることができる。
・動画配信サイトへ、据え置きパソコンを使ってアクセスし、そのサイトの動画を、大  画面と大迫力音響で仲間達と鑑賞することができる。
【００６１】
請求項３の機器選択が容易な娯楽システムは、四連動プッシュ式スイッチの第２押込釦を押込操作して、店員待機室のパソコン起動依頼ランプが点灯してカラオケルームの据え置きパソコンの起動を店員に依頼し、店員が制御用のパソコンからマジックパケットを据え置きパソコンへ送るまでは、据え置きパソコンの電源がオフになっているので、据え置きパソコンの故障防止が図れるとともに、節電も図れる。なお、カラオケルームの据え置きパソコンの電源スイッチは、カラオケルームの来店者が勝手に操作できない様にしておくのが好適である。
【００６２】
［請求項４について］
請求項３を引用する請求項４の機器選択が容易な娯楽システムは、パソコン起動依頼ランプを廃止している。そして、起動指令送出回路からの起動指令を制御用のパソコンが受けると、この制御用のパソコンから据え置きパソコンへマジックパケットを送出する。
【００６３】
請求項４の機器選択が容易な娯楽システムは、来店客が四連動プッシュ式スイッチの第２押込釦を押込操作すると、据え置きパソコンが起動するため、店員待機室で待機している店員がパソコン起動依頼ランプの点灯を見て制御用のパソコンからマジックパケットを据え置きパソコンへ送出するという操作が不要である。
【００６４】
［請求項５について］
請求項５の機器選択が容易な娯楽システムは、四連動プッシュ式スイッチと、音響装置と、映像装置と、マイクと、マイクレシーバーと、カラオケコマンダーと、音声ミキサーと、据え置きパソコンと、光ディスクプレーヤーと、信号変換器と、音響映像セレクターとをカラオケルームに配設している。そして、ハブ付ルーターと、パソコン起動依頼ランプと、制御用のパソコンとを店員待機室に配設している。
【００６５】
四連動プッシュ式スイッチは、第１〜第４押込釦の内の任意の押込釦の押込操作すると、他の押込釦が初期位置に復帰して各電気接点が開閉する構造である。また、第１〜第４のランプは、四連動プッシュ式スイッチの第１〜第４押釦の近傍に配設されており、押込操作した第１〜第４押込釦に対応するランプが点灯する。
このため、現在、どの機器が音響装置および映像装置に接続されているか容易に判る。具体的には、来店者が四連動プッシュ式スイッチの押込釦の押込具合または第１〜第４のランプの点灯状態を見れば、どの機器（カラオケコマンダー、据え置きパソコン、光ディスクプレーヤー、持込み携帯形端末）が利用できるのか容易に判別できる。
【００６６】
音響装置は、スピーカー群とアンプとを備える。
映像装置は、動画や静止画の表示が可能である。
マイクは、歌唱者が発声する音声を音声電気信号に変換するとともに、この音声電気信号を赤外線や電波に重畳させる。
マイクレシーバーは、捉えた赤外線や電波から音声電気信号を復調して増幅し、この増幅した音声信号を二系統出力する。
【００６７】
カラオケコマンダーは、ネットワークを介してサーバから配信される多数の楽曲データーを格納する記憶装置を有し、楽曲背景映像の映像信号と、マイクレシーバーが出力する一方の音声信号を楽曲空演奏の音響信号に重畳した歌唱入音響信号とを出力する。
音声ミキサーは、マイクレシーバーが出力する他方の音声信号のレベルを調整し、この調整済音声信号を出力する。
【００６８】
映像信号および音響信号を出力する据え置きパソコンは、カラオケルームに設置され、マジックパケットを受信すると起動する様にＢＩＯＳでＷａｋｅ  Ｏｎ  ＬＡＮが設定されてる。
【００６９】
光ディスクプレーヤーは、各種光ディスクが再生可能であり、映像信号および音響信号を出力する。
信号変換器は、来店客がカラオケルームに持ち込んだ私有の持込み携帯形端末の出力ポートに接続し、映像信号および音響信号を出力する。
【００７０】
第１の音響信号重畳回路は、音声ミキサーが出力する調整済音声信号と、据え置きパソコンが出力する音響信号とを重畳して第１の音響信号を出力する。
第２の音響信号重畳回路は、音声ミキサーが出力する調整済音声信号と、光ディスクプレーヤーが出力する音響信号とを重畳して第２の音響信号を出力する。
第３の音響信号重畳回路は、音声ミキサーが出力する調整済音声信号と、信号変換器が出力する音響信号とを重畳して第３の音響信号を出力する。
【００７１】
音響映像セレクターは、音声ミキサーと、第１〜第３の音響信号重畳回路と、第１〜第４押込釦の押込を各電気接点の閉成状態から検出する押込検出回路と、マイクロコンピュータと、第１〜第４のランプへ通電を行うランプ通電回路と、電子スイッチとを備える。  
【００７２】
店員待機室に配設され、インターネットに常時接続されるハブ付ルーターは、第１のＬＡＮケーブルを介してカラオケルームに配設した据え置きパソコンにＬＡＮ接続される。  パソコン起動依頼ランプは、カラオケルームに配設した音響映像セレクターの起動指令送出回路に接続ケーブルを介して電気接続される。
【００７３】
店員待機室に配設した制御用のパソコンは、この制御用のパソコンとハブ付ルーターとを接続する第２のＬＡＮケーブルと、ハブ付ルーターと、ハブ付ルーターとカラオケルームの据え置きパソコンとを接続する第１のＬＡＮケーブルとを介して、上記据え置きパソコンへマジックパケットを送出可能である。
【００７４】
カラオケルームに配設した音響映像セレクターのマイクロコンピューターは、下記の様に作動する。
来店者が四連動プッシュ式スイッチの第１押込釦を押込操作すると、第１押込釦の押込を押込検出回路が検出するため、マイクロコンピューターは、カラオケコマンダーが出力する映像信号および歌唱入音響信号が、それぞれ、映像装置および音響装置のアンプへ入力される様に電子スイッチを操作するとともに、第１のランプへ通電を行う様にランプ通電回路へ指示する。
【００７５】
来店者が四連動プッシュ式スイッチの第２押込釦を押込操作すると、第２押込釦の押込を押込検出回路が検出するため、マイクロコンピューターは、据え置きパソコンが出力する映像信号および第１の音響信号が、それぞれ、映像装置および音響装置のアンプへ入力される様に電子スイッチを操作するとともに、第２のランプおよびパソコン起動依頼ランプへ通電を行う様にランプ通電回路へ指示する。
【００７６】
パソコン起動依頼ランプの点灯を店員待機室にいる店員が確認すると、店員は、店員待機室に配設した制御用のパソコンから、第２のＬＡＮケーブル、ハブ付ルーター、および第１のＬＡＮケーブルを介してカラオケルームの据え置きパソコンへマジックパケットを送る。これにより、カラオケルームの据え置きパソコンの電源が入り起動する。
【００７７】
来店者が四連動プッシュ式スイッチの第３押込釦を押込操作すると、第３押込釦の押込を押込検出回路が検出するため、マイクロコンピューターは、光ディスクプレーヤーが出力する映像信号および第２の音響信号が、それぞれ、映像装置および音響装置のアンプへ入力される様に電子スイッチを操作するとともに、第３のランプへ通電を行う様にランプ通電回路へ指示する。
【００７８】
来店者が四連動プッシュ式スイッチの第４押込釦を押込操作すると、第４押込釦の押込を押込検出回路が検出するため、マイクロコンピューターは、信号変換器が出力する映像信号および第３の音響信号が、それぞれ、映像装置および音響装置のアンプへ入力される様に電子スイッチを操作するとともに、第４のランプへ通電を行う様にランプ通電回路へ指示する。
【００７９】
請求項５の機器選択が容易な娯楽システムは、下記の利点を有する。
カラオケ店に来店した来店者（同伴者も含む）が、四連動プッシュ式スイッチの第１〜第４押込釦の内の何れかの押込釦を押込操作すれば、四種類の機器（カラオケコマンダー、据え置きパソコン、光ディスクプレーヤー、持込み携帯形端末）を簡単に切り替えることができる。
【００８０】
単投形の四連動プッシュ式スイッチは、第１〜第４押込釦の内の任意の押込釦の押込操作すると、他の押込釦が初期位置に復帰して各電気接点が開閉する構造であるのに加え、四連動プッシュ式スイッチの第１〜第４押込釦の近傍に第１〜第４のランプを配設しているので、現在、どの機器が音響装置と映像装置に接続されているか容易に判る。
具体的には、来店者が四連動プッシュ式スイッチの押込釦の押込具合や、第１〜第４のランプの点灯具合を見れば、どの機器（カラオケコマンダー、据え置きパソコン、光ディスクプレーヤー、持込み携帯形端末）が利用できるのか容易に判別できる。
【００８１】
例えば、来店者が第３押込釦を押込操作すれば、光ディスクプレーヤーが音響装置および映像装置にケーブルを繋ぎ替えることなく電気的に接続され、また、来店者が四連動プッシュ式スイッチの第２押込釦を押込操作すれば、据え置きパソコンが音響装置および映像装置にケーブルを繋ぎ替えることなく電気的に接続され、更に、来店者が第４押込釦を押込操作すれば、持込み携帯形端末がケーブルを繋ぎ替えることなく音響装置および映像装置に電気的に接続される。
【００８２】
このため、カラオケ店に来店した来店者は、楽曲の伴奏データが入った私有の光ディスクを持ち込んで光ディスクプレーヤーで再生したり、据え置きパソコンや、私有の持込み携帯形端末を使ってインターネットから楽曲の伴奏データを取り込んで利用することができる。また、下記に示す様に、カラオケ以外の娯楽を、来店者本人または仲間達と手軽に楽しむことができる。
【００８３】
・オンライン映画配信サイトへ、据え置きパソコンを使ってアクセスし、大画面と大迫  力音響で、仲間と映画を鑑賞できる。
・海外のスポーツのライブ中継配信サイトへ、据え置きパソコンを使ってアクセスし、  大画面と迫力音響で、仲間とスポーツ中継を楽しむことができる。
・ストリーミング配信サイトへ、据え置きパソコンを使ってアクセスし、来店者のプロ  モーション音楽ビデオのライブ配信を行うことができる。
・ライブ配信サイトへ、据え置きパソコンを使ってアクセスし、歌唱している歌手とと  もに、大画面と大迫力音響で歌唱することができる。
・海外のカラオケ楽曲が利用できるサイトへ、据え置きパソコンを使ってアクセスし、  大画面と大迫力音響で、その楽曲を歌唱することができる。
・オンラインゲームサイトへ、据え置きパソコンを使ってアクセスし、大画面と大迫力  音響でプレイすることができる。
・動画配信サイトへ、据え置きパソコンを使ってアクセスし、そのサイトの動画を、大画面と大迫力音響で仲間達と鑑賞することができる。
【００８４】
請求項５の機器選択が容易な娯楽システムは、四連動プッシュ式スイッチの第２押込釦を押込操作して、店員待機室のパソコン起動依頼ランプを点灯させる事によりカラオケルームの据え置きパソコンの起動を店員に依頼し、店員が制御用のパソコンからマジックパケットを据え置きパソコンへ送るまでは、据え置きパソコンの電源がオフになっているので、据え置きパソコンの故障防止が図れるとともに、節電も図れる。なお、カラオケルームの据え置きパソコンの電源スイッチは、カラオケルームの来店者が勝手に操作できない様にしておくのが好適である。
【００８５】
［請求項６について］
請求項５を引用する請求項６の機器選択が容易な娯楽システムは、パソコン起動依頼ランプを廃止している。そして、第２のランプへ通電されていることを接続ケーブルを介して制御用のパソコンが把握すると、この制御用のパソコンから据え置きパソコンへマジックパケットを送出して据え置きパソコンを起動させる構成である。
【００８６】
請求項６の機器選択が容易な娯楽システムは、来店客が四連動プッシュ式スイッチの第２押込釦を押込操作すると、据え置きパソコンが自動的に起動するため、店員待機室で待機している店員がパソコン起動依頼ランプの点灯を見て制御用のパソコンからマジックパケットを据え置きパソコンへ送出するという操作が不要である。
【図面の簡単な説明】
【００８７】
【図１】本発明の実施例１に係る機器選択が容易な娯楽システムのブロック図である。
【図２】本発明の実施例２に係る機器選択が容易な娯楽システムのブロック図である。
【図３】実施例２の機器選択が容易な娯楽システムのマイクロコンピュータの作動を示すフローチャートである。
【図４】本発明の実施例３に係る機器選択が容易な娯楽システムのブロック図である。
【図５】変形例１に係る機器選択が容易な娯楽システムのブロック図である。
【図６】変形例２に係る機器選択が容易な娯楽システムのブロック図である。
【図７】変形例３に係る機器選択が容易な娯楽システムのブロック図である。
【発明を実施するための形態】
【００８８】
機器選択が容易な娯楽システムは、四連動プッシュ式スイッチの任意の押込釦を来店者が押込操作すると、四種類の音響映像機器（カラオケコマンダー、据え置きパソコン、光ディスクプレーヤー、持込み携帯形端末）と、音響・映像装置との接続を簡単に切り替えできるとともに、第２押込釦を押込操作した場合には、店員待機室のパソコン起動依頼ランプが点灯するので、同室の制御用のパソコンからマジックパケットを送って、カラオケルーム内の据え置きパソコンを起動させることができる。このため、カラオケ店に来店した来店者は、カラオケコマンダーを利用する以外に、私有の光ディスクを光ディスクプレーヤーで再生したり、私有の持込み携帯形端末や据え置きパソコンを使ってインターネットから楽曲の伴奏データを取り込んで利用することができる。
【実施例１】
【００８９】
本発明の実施例１に係る機器選択が容易な娯楽システムＡ（請求項３に対応）を図１に基づいて説明する。
図１に示す機器選択が容易な娯楽システムＡは、四連動プッシュ式スイッチ１と、音響装置２と、映像装置である大形モニターＴｂおよび小形モニターＴｓと、マイクＭと、マイクレシーバー３と、カラオケコマンダー４１と、据え置きパソコン４２と、ブルーレイ・ディスク｛Blu-ray Disc（登録商標）｝プレーヤー４３と、信号変換器であるＨＤＭＩコンバーター４４と、音響映像セレクター５とをカラオケルームに配設している。また、ハブ付ルータ６と、パソコン起動依頼ランプ６２と、制御用のパソコン６４とを店員待機室に配設している。
【００９０】
四連動プッシュ式スイッチ１は、第１〜第４押込釦１１〜１４の内の任意の押込釦の押込操作により、他の押込釦を機械的に初期位置に復帰させて電気接点ｓ１〜ｓ４を開閉する単極単投形の連動式の押しボタンスイッチである。
【００９１】
音響装置２は、スピーカー２１、…２１群と、ライン入力端子（ＲＣＡ端子  Ｒ／Ｌ）を有するアンプ２２とにより構成されている。
【００９２】
大形・小形モニターＴｂ、Ｔｓは、ＨＤＭＩ（登録商標；以下同様）入力端子を有するプラズマ式の大形・小形のディスプレイであり、動画や静止画の表示が可能である。
【００９３】
マイクＭは、赤外線発光部をグリップｇに設けた赤外線伝送方式のコンデンサマイクである。
このマイクＭは、スピーカー２１、…２１群から発せられる音響および大形・小形モニターＴｂ、Ｔｓに表示される映像に合わせて歌唱者が発声する音声を音声電気信号に変換し、この音声電気信号で赤外線を変調し、この変調した赤外線ｍをマイクレシーバー３へ向けて発射する。
【００９４】
マイクレシーバー３は、マイクＭから発射された赤外線ｍから音声電気信号を復調して増幅し、この増幅したアナログの音声信号３１、３２を、ライン出力端子から出力（二系統）する。
【００９５】
カラオケコマンダー４１は、ネットワーク４１１を介してサーバから配信される多数の楽曲データーを格納するＨＤＤ（記憶装置）を有する。
このカラオケコマンダー４１は、楽曲背景映像のデジタル映像信号４１２と、マイクレシーバー３が出力する一方のアナログの音声信号３１を楽曲空演奏の音響信号に重畳したアナログの歌唱入音響信号４１３とを、ＨＤＭＩ出力端子およびライン出力端子から音響映像セレクター５へ出力する。
【００９６】
カラオケ店のカラオケルームに常設され、インターネットに接続可能な据え置きパソコン４２は、ＨＤＭＩ出力端子からデジタル映像信号４２１を音響映像セレクター５へ出力し、ライン出力端子からアナログの音響信号４２２を音響映像セレクター５へ出力する。この据え置きパソコン４２は、マジックパケット６０を受信すると起動する様にＢＩＯＳでＷａｋｅ  Ｏｎ  ＬＡＮが設定されている。
【００９７】
ブルーレイ・ディスク（Blu-ray Disc）プレーヤー４３は、BD-VideoやDVD -Videoの再生が可能な再生専用の映像機器であり、歌唱者や同伴者がカラオケルーム内へ持ち込んだ、BD-VideoやDVD -Videoの再生が可能である。
このブルーレイ・ディスクプレーヤー４３は、ＨＤＭＩ出力端子からデジタル映像信号４３１を出力し、ライン出力端子からアナログの音響信号４３２を音響映像セレクター５へ出力する。
【００９８】
ＨＤＭＩコンバーター４４は、来店客の持込み携帯形端末４４０の出力ポートに接続し、デジタル映像信号４４１およびアナログの音響信号４４２を音響映像セレクター５へ出力する。このＨＤＭＩコンバーター４４は、二種類、用意され、Ｌｉｇｈｔｎｉｎｇ出力（アイフォン系）またはＭＨＬ出力（アンドロイド系）をＨＤＭＩ出力に変換する。
【００９９】
音響映像セレクター５は、音声ミキサー５１と、第１〜第３の音響信号重畳回路５２〜５４と、押込検出回路５５、マイクロコンピューター５６、ＬＥＤ通電回路５７（起動指令送出回路）、および電子スイッチ５８を有するセレクター本体５０とからなる。
音声ミキサー５１は、マイクレシーバー３が出力する他方のアナログの音声信号３２のレベルを調整し、調整したアナログの調整済音声信号５１１を第１〜第３の音響信号重畳回路５２〜５４へ出力する。
【０１００】
第１の音響信号重畳回路５２は、音声ミキサー５１が出力するアナログの調整済音声信号５１１と据え置きパソコン４２が出力するアナログの音響信号４２２とを重畳してアナログの第１の音響信号５２１をセレクター本体５０へ出力する。
【０１０１】
第２の音響信号重畳回路５３は、音声ミキサー５１が出力するアナログの調整済音声信号５１１と光ディスクプレーヤー４３が出力するアナログの音響信号４３２とを重畳してアナログの第２の音響信号５３１をセレクター本体５０へ出力する。
【０１０２】
第３の音響信号重畳回路５４は、音声ミキサー５１が出力するアナログの調整済音声信号５１１とＨＤＭＩコンバーター４４が出力するアナログの音響信号４４２とを重畳してアナログの第３の音響信号５４１をセレクター本体５０へ出力する。
【０１０３】
押込検出回路５５は、四連動プッシュ式スイッチ１の第１〜第４押込釦１１〜１４の押込を電気接点ｓ１〜ｓ４の閉成状態から検出する。
ＬＥＤ通電回路５７は、パソコン起動依頼ランプ６２への通電を行う回路である。
【０１０４】
インターネットに常時接続されるハブ付ルーター６は、第１のＬＡＮケーブル６１を介してカラオケルームに配設した据え置きパソコン４２にＬＡＮ接続される。
【０１０５】
パソコン起動依頼ランプ６２は、カラオケルームに配置した音響映像セレクター５のＬＥＤ通電回路５７に接続ケーブル６３を介して電気接続される。
【０１０６】
制御用のパソコン６４は、この制御用のパソコン６４とハブ付ルータ６とを接続する第２のＬＡＮケーブル６５と、ハブ付ルーター６と、ハブ付ルータ６とカラオケルームの据え置きパソコン４２とを接続する第１のＬＡＮケーブル６１とを介して、上記据え置きパソコン４２へマジックパケット６０を送出可能である。
【０１０７】
音響映像セレクター５のマイクロコンピューター５６は、下記の様に作動する。
音響映像セレクター５の押込検出回路５５は、四連動プッシュ式スイッチ１の接点ｓ１〜ｓ４と接続ケーブルにより電気接続され、電気接点ｓ１〜ｓ４の開閉状態をＬｏ／Ｈｉ出力に変換する。
マイクロコンピューター５６は、押込検出回路５５が出力する、接点毎のＬｏ／Ｈｉ出力に基づいて第１〜第４押込釦１１〜１４に係る接点の状態を把握し、下記の様に電子スイッチ５８を制御する。
【０１０８】
電子スイッチ５８は、半導体（トランジスタやＦＥＴ等）により構成され、四種類の音響映像機器（カラオケコマンダー４１、据え置きパソコン４２、ブルーレイ・ディスクプレーヤー４３、ＨＤＭＩコンバーター４４）と、音響・映像装置（音響装置２のアンプ２２、大形・小形モニターＴｂ、Ｔｓ、）との接続を下記の様に切り替える。
【０１０９】
四連動プッシュ式スイッチ１の第１押込釦１１が押し込まれた位置では、マイクロコンピューター５６が電子スイッチ５８を操作して、カラオケコマンダー４１が出力する楽曲背景映像のデジタル映像信号４１２を分配器５９を介して大形・小形モニターＴｂ、Ｔｓへ案内し、カラオケコマンダー４１が出力するアナログの歌唱入音響信号４１３を音響装置２のアンプ２２へ案内する。
【０１１０】
四連動プッシュ式スイッチ１の第２押込釦１２が押し込まれた位置では、マイクロコンピューター５６が電子スイッチ５８を操作して、据え置きパソコン４２が出力するデジタル映像信号４２１を分配器５９を介して大形・小形モニターＴｂ、Ｔｓへ案内し、第１の音響信号重畳回路５２が出力するアナログの第１の音響信号５２１を音響装置２のアンプ２２へ案内する。また、この位置では、パソコン起動依頼ランプ６２へ通電を行う様にマイクロコンピューター５６がＬＥＤ通電回路５７へ指示する。
【０１１１】
四連動プッシュ式スイッチ１の第３押込釦１３が押し込まれた位置では、マイクロコンピューター５６が電子スイッチ５８を操作して、ブルーレイ・ディスクプレーヤー４３が出力するデジタル映像信号４３１を分配器５９を介して大形・小形モニターＴｂ、Ｔｓへ案内し、第２の音響信号重畳回路５３が出力するアナログの第２の音響信号５３１を音響装置２のアンプ２２へ案内する。
【０１１２】
四連動プッシュ式スイッチ１の第４押込釦１４が押し込まれた位置では、マイクロコンピューター５６が電子スイッチ５８を操作して、ＨＤＭＩコンバーター４４が出力するデジタル映像信号４４１を分配器５９を介して大形・小形モニターＴｂ、Ｔｓへ案内し、第３の音響信号重畳回路５４が出力するアナログの第３の音響信号５４１を音響装置２のアンプ２２へ案内する。
【０１１３】
実施例１の機器選択が容易な娯楽システムＡは、下記の利点を有する。
カラオケ店に来店した歌唱者または同伴者が、四連動プッシュ式スイッチ１の第１押込釦〜第４押込釦１１、１２、１３、１４の何れかを押圧して押し込めば、四種類の音響映像機器（カラオケコマンダー４１、据え置きパソコン４２、ブルーレイ・ディスクプレーヤー４３、ＨＤＭＩコンバーター４４）と、音響・映像装置との接続を簡単に切り替えることができる。
【０１１４】
なお、四連動プッシュ式スイッチ１は、単投形で、第１〜第４押込釦１１、１２、１３、１４のどれかを押込操作する（電気接点が閉になる）と、機械的に他の押込釦が初期位置（電気接点が開状態）に復帰する構造であるので、現在、どの押込釦が押込操作されているか、歌唱者または同伴者が見れば一目で判る、このため、歌唱者および同伴者は、現在、どの音響映像機器が、音響・映像装置に接続されていて利用できるのか容易に判別できる。
【０１１５】
カラオケコマンダー４１以外の機器を使う場合も、同じマイクＭを使って歌唱することができるので、機器選択が容易な娯楽システムＡは使い勝手が良い。なお、マイクレシーバー３のアナログの音声信号３２のレベルを音声ミキサー５１で調整できるので快適に歌唱することができる。
【０１１６】
マイクレシーバー３が二系統の音声信号３１、３２を出力し、一系統側の音声信号３１をカラオケコマンダー４１に入力しているので、カラオケコマンダー４１の採点機能が損なわれない。
【０１１７】
実施例１の機器選択が容易な娯楽システムＡは、来店者が四連動プッシュ式スイッチ１の第２押込釦１２を押込操作すると、セレクター本体５０のマイクロコンピューター１が接続ケーブル６３を介して店員待機室のパソコン起動依頼ランプ６２へ通電を行う様にＬＥＤ通電回路５７へ指示し、パソコン起動依頼ランプ６２の点灯を店員待機室にいる店員が確認すると、制御用のパソコン６４から、第２のＬＡＮケーブル６５、ハブ付ルーター６、および第１のＬＡＮケーブル６１を介してカラオケルームの据え置きパソコン４２へマジックパケット６０を送る構成である。これにより、カラオケルームの据え置きパソコン４２の電源が入り起動する。
【０１１８】
このため、マジックパケット６０を据え置きパソコン４２へ送るまでは、据え置きパソコン４２の電源がオフになっているので、据え置きパソコン４２の故障防止が図れるとともに、節電も図れる。また、店員がカラオケルームに出向いて据え置きパソコン４２の電源を入れる必要もない。
【０１１９】
機器選択が容易な娯楽システムＡは、カラオケ店に来店した来店者が、四連動プッシュ式スイッチ１の第４の釦１４、第３の釦１３、第２の釦１２の何れかを押圧すれば、接続ケーブルを繋ぎ替えることなく、私有の携帯端末４４０を使ってインターネットから楽曲の伴奏データを取り込んで利用したり、楽曲の伴奏データが入った私有の光ディスクを持ち込んでブルーレイ・ディスクプレーヤー４３で再生したり、据え置きパソコン４２を使って、下記に示す様にカラオケ以外の娯楽を、来店者本人または仲間達と手軽に楽しむことができる。
【０１２０】
オンライン映画配信サイトへ、据え置きパソコン４２を使ってアクセスし、大画面と大迫力音響で、仲間と映画を鑑賞できる。
【０１２１】
海外のスポーツのライブ中継配信サイトへ、据え置きパソコンを４２使ってアクセスし、大画面と迫力音響で、仲間とスポーツ中継を楽しむことができる。
【０１２２】
ストリーミング配信サイトへ、据え置きパソコン４２を使ってアクセスし、来店者のプロモーション音楽ビデオのライブ配信を行うことができる。
【０１２３】
ライブ配信サイトへ、据え置きパソコン４２を使ってアクセスし、歌唱している歌手とともに、大画面と大迫力音響で歌唱することができる。
【０１２４】
海外のカラオケ楽曲が利用できるサイトへ、据え置きパソコン４２を使ってアクセスし、大画面と大迫力音響で、その楽曲を歌唱することができる。
【０１２５】
オンラインゲームサイトへ、据え置きパソコン４２を使ってアクセスし、大画面と大迫力音響でプレイすることができる。
【０１２６】
動画配信サイトへ、据え置きパソコン４２を使ってアクセスし、そのサイトの動画を、大画面と大迫力音響で仲間達と鑑賞することができる。
【実施例２】
【０１２７】
本発明の実施例２に係る機器選択が容易な娯楽システムＢ（請求項１に対応）を図２および図３に基づいて説明する。
図２に示す機器選択が容易な娯楽システムＢは、第１〜第４の押釦スイッチ７１〜７４と、第１〜第４のＬＥＤ８１〜８４と、音響装置２と、映像装置である大形モニターＴｂおよび小形モニターＴｓと、マイクＭと、マイクレシーバー３と、カラオケコマンダー４１と、据え置きパソコン４２と、ブルーレイ・ディスクプレーヤー４３と、信号変換器であるＨＤＭＩコンバーター４４と、音響映像セレクター５とをカラオケルームに配設している。また、パソコン起動依頼ランプ６２と、副電源スイッチ６６とを店員待機室に配設している。
【０１２８】
実施例２の機器選択が容易な娯楽システムＢは、下記の点が実施例１の機器選択が容易な娯楽システムＡと異なる。
【０１２９】
第１〜第４の押釦スイッチ７１〜７４は、第１〜第４の釦を押圧している間だけ電気接点７１１が閉成する単投形の押しボタンスイッチである。
第１〜第４のＬＥＤ８１〜８４は、それぞれ、第１〜第４の押釦スイッチ７１〜７４の近傍（各スイッチの下側数ｃｍ）に配置されている。
【０１３０】
実施例２の機器選択が容易な娯楽システムＢでは、パソコン起動依頼ランプ６２と副電源スイッチ６６とを店員待機室の所定場所に並べて配設している。なお、本実施例では、店員待機室にハブ付ルータ６や制御用のパソコン６４を設置していない。
【０１３１】
音響映像セレクター５は、音声ミキサー５１と、第１〜第３の音響信号重畳回路５２〜５４と、押圧検出回路５５ｂ、マイクロコンピューター５６、ＬＥＤ通電回路（起動指令送出回路）５７ｂ、および電子スイッチ５８を有するセレクター本体５０とを有する。
音声ミキサー５１および第１〜第３の音響信号重畳回路５２〜５４は、実施例１の機器選択が容易な娯楽システムＡと同じものである。
【０１３２】
押圧検出回路５５ｂは、第１〜第４の押釦スイッチ７１〜７４の第１〜第４の釦が押圧されたか否かを、各押釦スイッチの電気接点の閉成に基づいて検知する回路である。
ＬＥＤ通電回路５７ｂは、第１〜第４のＬＥＤ８１〜８４およびパソコン起動依頼ランプ６２へ通電を行う回路である。
【０１３３】
パソコン起動依頼ランプ６２は、カラオケルームに配置した音響映像セレクター５のＬＥＤ通電回路５７ｂの第２のＬＥＤ８２へ通電を行う部位へ接続ケーブル６３を介して電気接続される。
【０１３４】
音響映像セレクター５のマイクロコンピューター５６は、押釦スイッチ７１〜７４の何れかの釦が押圧されたか否かを下記の様に判別する。
システムの起動時（電源投入時）は、図３のステップｓ１で、マイクロコンピューター５６は、第１〜第４の押釦スイッチ７１〜７４の全ての電気接点を、みなし開成状態（オフ状態）にホールドし、ステップｓ２へ進む。        
みなし開成状態とは、そのホールドした押釦スイッチの電気接点が開成状態を維持している様にマイクロコンピューター５６が見なすことである。
【０１３５】
図３のステップｓ２で、マイクロコンピューター５６は、何れかの釦が押圧されたか否かを押圧検出回路５７ｂの検知に基づいて判別し、何れかの釦が押圧された場合にはステップｓ３へ進み、何れの釦も押圧されない場合にはステップｓ２で待機する。
【０１３６】
図３のステップｓ３で、マイクロコンピューター５６は、ステップｓ２で押圧を検知した押釦スイッチをみなし閉成状態（オン状態）にホールドし、ステップｓ４へ進む。      みなし閉成状態とは、押圧を解除しても、そのホールドした押釦スイッチの電気接点が閉成状態を維持している様にマイクロコンピューター５６が見なすことである。
【０１３７】
図３のステップｓ４で、マイクロコンピューター５６は、ステップｓ２で押圧を検知した押釦スイッチに対応するＬＥＤが点灯状態になる様にＬＥＤ通電回路５７ｂに指示し、該当するＬＥＤが点灯する。
なお、該当するＬＥＤが第２のＬＥＤ８２の場合には、第２のＬＥＤ８２が点灯状態になるとともに、店員待機室のパソコン起動依頼ランプ６２も点灯状態になる。
【０１３８】
図３のステップｓ５で、マイクロコンピューター５６は、ステップｓ２（または前回のステップｓ５）で検知した押釦スイッチの釦とは異なる別の釦が押圧されたか否かを押圧検出回路５５ｂの検知に基づいて判別し、別の押釦スイッチの釦が押圧された場合にはステップｓ６へ進み、別の押釦スイッチの釦が押圧されない場合にはステップｓ５で待機する。
【０１３９】
図３のステップｓ６で、マイクロコンピューター５６は、ステップｓ３で、みなし閉成状態（オン状態）にホールドしている押釦スイッチのホールドを解除し、ステップｓ７へ進む。
【０１４０】
図３のステップｓ７で、マイクロコンピューター５６は、ステップｓ６で解除した押釦スイッチに対応するＬＥＤを消灯状態にし、ステップｓ８へ進む。
【０１４１】
図３のステップｓ８で、マイクロコンピューター５６は、ステップｓ５で押圧を検知した押釦スイッチをみなし閉成状態（オン状態）にホールドし、ステップｓ９へ進む。
みなし閉成状態とは、押圧を解除しても、そのホールドした押釦スイッチの電気接点が閉成状態を維持している様にマイクロコンピューター５６が見なすことである。
【０１４２】
図３のステップｓ９で、マイクロコンピューター５６は、ステップｓ８で、みなし閉成状態（オン状態）にホールドした押釦スイッチに対応するＬＥＤを点灯状態にし、ステップｓ５へ戻る。
【０１４３】
また、音響映像セレクター５のマイクロコンピューター５６は、ステップｓ１〜ステップｓ９を実行中に、みなし閉成状態（オン状態）にホールドした押釦スイッチ（第１〜第４の押釦スイッチ７１〜７４の何れか１つ）およびその押釦スイッチに対応して点灯するＬＥＤに基づいて電子スイッチ５８を制御する。
【０１４４】
電子スイッチ５８は、四種類の音響映像機器（カラオケコマンダー４１、据え置きパソコン４２、ブルーレイ・ディスクプレーヤー４３、ＨＤＭＩコンバーター４４）と、映像装置（大形モニターＴｂ、小形モニターＴｓ）および音響装置（アンプ２２）との接続を切り替えるためのものであり、半導体（トランジスタやＦＥＴ等）により構成される。
【０１４５】
第１の押釦スイッチ７１が、みなし閉成状態（オン状態）にホールドされた状態では、マイクロコンピューター５６が電子スイッチ５８を操作して、カラオケコマンダー４１が出力する楽曲背景映像のデジタル映像信号４１２を分配器５９を介して大形・小形モニターＴｂ、Ｔｓへ案内し、カラオケコマンダー４１が出力するアナログの歌唱入音響信号４１３を音響装置２のアンプ２２へ案内する。また、第１のＬＥＤ８１へ通電を行う様にマイクロコンピューター５６がＬＥＤ通電回路５７ｂへ指示する。
【０１４６】
第２の押釦スイッチ７２が、みなし閉成状態（オン状態）にホールドされた状態では、マイクロコンピューター５６が電子スイッチ５８を操作して、据え置きパソコン４２が出力するデジタル映像信号４２１を分配器５９を介して大形・小形モニターＴｂ、Ｔｓへ案内し、第１の音響信号重畳回路５２が出力するアナログの第１の音響信号５２１を音響装置２のアンプ２２へ案内する。また、第２のＬＥＤ８２へ通電を行う様にマイクロコンピューター５６がＬＥＤ通電回路５７ｂへ指示する。なお、第２のＬＥＤ８２へ通電を行う部位へ、店員待機室のパソコン起動依頼ランプ６２が接続ケーブル６３を介して電気接続されているのでパソコン起動依頼ランプ６２が点灯する。
店員待機室に待機している店員がパソコン起動依頼ランプ６２の点灯を視認すると、副電源スイッチ６６を押圧操作する。これにより、据え置きパソコンの押しボタン式の電源スイッチＰｓの接点が一瞬オンになり、据え置きパソコンを４２が起動する。
【０１４７】
第３の押釦スイッチ７３が電気的に閉成状態（オン状態）にホールドされた状態では、マイクロコンピューター５６が電子スイッチ５８を操作して、ブルーレイ・ディスクプレーヤー４３が出力するデジタル映像信号４３１を分配器５９を介して大形・小形モニターＴｂ、Ｔｓへ案内し、第２の音響信号重畳回路５３が出力するアナログの第２の音響信号５３１を音響装置２のアンプ２２へ案内する。また、第３のＬＥＤ８３へ通電を行う様にマイクロコンピューター５６がＬＥＤ通電回路５７ｂへ指示する。
【０１４８】
第４の押釦スイッチ７４が電気的に閉成状態（オン状態）にホールドされた状態では、マイクロコンピューター５６が電子スイッチ５８を操作して、信号変換器であるＨＤＭＩコンバーター４４が出力するデジタル映像信号４４１を分配器５９を介して大形・小形モニターＴｂ、Ｔｓへ案内し、第３の音響信号重畳回路５４が出力するアナログの第３の音響信号５４１を音響装置２のアンプ２２へ案内する。また、第４のＬＥＤ８４へ通電を行う様にマイクロコンピューター５６がＬＥＤ通電回路５７ｂへ指示する。
【０１４９】
実施例２の機器選択が容易な娯楽システムＢは、下記の利点を有する。
カラオケ店に来店した歌唱者または同伴者が、第１〜第４の押釦スイッチ７１〜７４の第１〜第４の釦の何れかを指で押圧して指を離せば、四種類の機器（カラオケコマンダー４１、据え置きパソコン４２、光ディスクプレーヤー４３、持込み携帯形端末４４０）を簡単に切り替えることができる。
【０１５０】
第１〜第４の押釦スイッチ７１〜７４は、単投形で、第１〜第４の釦の何れか１つを押圧する（押圧中、電気接点が閉になる）と、押圧した第１〜第４の押釦スイッチ７１〜７４に対応する第１〜第４のＬＥＤ８１〜８４が点灯するので、現在、どの機器が大形・小形モニタＴｂ、Ｔｓおよびアンプ２２に接続されているか一目で判る。
つまり、来店者は、第１〜第４のＬＥＤ８１〜８４の点灯状態を見れば、どの機器（カラオケコマンダー４１、据え置きパソコン４２、光ディスクプレーヤー４３、持込み携帯形端末４４０）が利用できるのか容易に判別できる。                                  
【０１５１】
なお、第１〜第４の釦のみの押圧（どれか１つ）を押圧検出回路５５ｂが検出するとマイクロコンピューター５６が、電子スイッチ５８を操作するとともに、第１〜第４のＬＥＤ８１〜８４へ通電を行う様にＬＥＤ通電回路５７ｂへ指示する構成であるので、異なる押釦スイッチの複数同時押しを無効にできるとともに、押圧を止めて押釦が戻っても、機器と、大形・小形モニタＴｂ、Ｔｓおよびアンプ２２との接続が維持されるとともに、第１〜第４の押釦スイッチ７１〜７４の何れかの釦を押圧したのかを、第１〜第４のＬＥＤ８１〜８４の点灯状態から容易に判別できる。
また、第１〜第４の押釦スイッチ７１〜７４は、単投形の押し釦式であるので、押し易いとともに、嵩張らない。
【０１５２】
実施例２の機器選択が容易な娯楽システムＢは、実施例１と同様、カラオケコマンダー４１以外の機器を使う場合も、同じマイクＭを使って歌唱することができるので使い勝手が良い。なお、マイクレシーバー３のアナログの音声信号３２のレベルを音声ミキサー５１で調整できるので快適に歌唱することができる。
【０１５３】
実施例２の機器選択が容易な娯楽システムＢは、実施例１と同様、マイクレシーバー３が二系統の音声信号３１、３２を出力し、一系統側の音声信号３１をカラオケコマンダー４１に入力しているので、カラオケコマンダー４１の採点機能が損なわれない。
【０１５４】
機器選択が容易な娯楽システムＢは、カラオケ店に来店した来店者が、第４、第３、第２の押釦スイッチ７４、７３、７２の何れかの押しボタンを押圧すれば、実施例１と同様に、接続ケーブルを繋ぎ替えることなく、カラオケコマンダー４１以外に、私有の携帯端末４４０を使ってインターネットから楽曲の伴奏データを取り込んで利用したり、楽曲の伴奏データが入った私有の光ディスクを持ち込んでブルーレイ・ディスクプレーヤー４３で再生したり、据え置きパソコン４２を使って、下記に示す様にカラオケ以外の娯楽を、来店者本人または仲間達と手軽に楽しむことができる。                  
【０１５５】
オンライン映画配信サイトへ、据え置きパソコン４２を使ってアクセスし、大画面と大迫力音響で、仲間と映画を鑑賞できる。
【０１５６】
海外のスポーツのライブ中継配信サイトへ、据え置きパソコンを４２使ってアクセスし、大画面と迫力音響で、仲間とスポーツ中継を楽しむことができる。
【０１５７】
ストリーミング配信サイトへ、据え置きパソコン４２を使ってアクセスし、来店者のプロモーション音楽ビデオのライブ配信を行うことができる。
【０１５８】
ライブ配信サイトへ、据え置きパソコン４２を使ってアクセスし、歌唱している歌手とともに、大画面と大迫力音響で歌唱することができる。
【０１５９】
海外のカラオケ楽曲が利用できるサイトへ、据え置きパソコン４２を使ってアクセスし、大画面と大迫力音響で、その楽曲を歌唱することができる。
【０１６０】
オンラインゲームサイトへ、据え置きパソコン４２を使ってアクセスし、大画面と大迫力音響でプレイすることができる。
【０１６１】
動画配信サイトへ、据え置きパソコン４２を使ってアクセスし、そのサイトの動画を、大画面と大迫力音響で仲間達と鑑賞することができる。
【実施例３】
【０１６２】
本発明の実施例３に係る機器選択が容易な娯楽システムＣ（請求項５に対応）を図４に基づいて説明する。
この機器選択が容易な娯楽システムＣは、下記の点が実施例１の機器選択が容易な娯楽システムＡと異なる。
【０１６３】
実施例３の機器選択が容易な娯楽システムＣでは、四連動プッシュ式スイッチ１の第１〜第４押込釦１１〜１４の近傍（各スイッチの下側数ｃｍ）に第１〜第４のＬＥＤ８１〜８４を配設している。
ＬＥＤ通電回路５７ｂは、第１〜第４のＬＥＤ８１〜８４およびパソコン起動依頼ランプ６２へ通電を行う回路である。
【０１６４】
音響映像セレクター５は、音声ミキサー５１と、第１〜第３の音響信号重畳回路５２〜５４と、押込検出回路５５、マイクロコンピューター５６、ＬＥＤ通電回路（起動指令送出回路）５７ｂ、および電子スイッチ５８を有するセレクター本体５０とを有する。
音声ミキサー５１および第１〜第３の音響信号重畳回路５２〜５４は、実施例１の機器選択が容易な娯楽システムＡと同じものである。
【０１６５】
パソコン起動依頼ランプ６２は、カラオケルームに配置した音響映像セレクター５のＬＥＤ通電回路５７ｂの第２のＬＥＤ８２へ通電を行う部位へ接続ケーブル６３を介して電気接続される。
【０１６６】
押込検出回路５５は、実施例１と同様、四連動プッシュ式スイッチ１の第１〜第４押込釦１１〜１４の押込を電気接点ｓ１〜ｓ４の閉成状態から検出する。
【０１６７】
実施例３の機器選択が容易な娯楽システムＣは、下記の利点を有する。
カラオケ店に来店した歌唱者または同伴者が、四連動プッシュ式スイッチ１の第１押込釦〜第４押込釦１１、１２、１３、１４の何れかを押圧して押し込めば、四種類の機器（カラオケコマンダー４１、据え置きパソコン４２、ブルーレイ・ディスクプレーヤー４３、ＨＤＭＩコンバーター４４）を簡単に切り替えることができる。
【０１６８】
第１〜第４のＬＥＤ８１〜８４は、四連動プッシュ式スイッチ１の第１〜第４押込釦１１〜１４の近傍に配設されており、第１〜第４押込釦１１〜１４の内の任意の押込釦の押込操作すると、他の押込釦が初期位置に復帰して各電気接点が開閉する構造である。また、押込操作した第１〜第４押込釦１１〜１４に対応する第１〜第４のＬＥＤ８１〜８４も点灯する。
【０１６９】
このため、来店者が第１〜第４のＬＥＤ８１〜８４の点灯および四連動プッシュ式スイッチ１の押込釦１１〜１４の押込具合を見れば、どの音響映像機器（カラオケコマンダー４１、据え置きパソコン４２、光ディスクプレーヤー４３、持込み携帯形端末４４０）が利用できるのか容易に判別できる。
【０１７０】
四連動プッシュ式スイッチ１を切り替えることにより、接続ケーブルを繋ぎ替えることなく、カラオケコマンダー４１以外に、据え置きパソコン４２、ブルーレイ・ディスクプレーヤー４３、またはＨＤＭＩコンバーター４４が、大形・小形モニターＴｂ、Ｔｓおよび音響装置２のアンプ２２へ電気的に接続される。
【０１７１】
このため、カラオケ店に来店した歌唱者および同伴者は、楽曲の伴奏データが入った私有の光ディスクを持ち込んでブルーレイ・ディスクプレーヤー４３で再生したり、備え付けの据え置きパソコン４２や、私有の携帯端末４４０を使ってインターネットから楽曲の伴奏データを取り込んで利用することができる。また、カラオケ以外のコンテンツ（ビデオゲーム、映画鑑賞、テレビの試聴）を、大形・小形モニターＴｂ、Ｔｓおよびスピーカー２１、…２１群により、大迫力で、手軽に楽しむことができる。
【０１７２】
カラオケコマンダー４１以外の機器を使う場合も、同じマイクＭを使って歌唱することができるので、機器選択が容易な娯楽システムＡは使い勝手が良い。なお、マイクレシーバー３のアナログの音声信号３２のレベルを音声ミキサー５１で調整できるので快適に歌唱することができる。
【０１７３】
マイクレシーバー３が二系統の音声信号３１、３２を出力し、一系統側の音声信号３１をカラオケコマンダー４１に入力しているので、カラオケコマンダー４１の採点機能が損なわれない。
【０１７４】
＜変形例＞
ａ．各実施例において、カラオケコマンダー４１以外の音響映像機器（据え置きパソコン４２、光ディスクプレーヤー４３、持込み携帯形端末４４０）から取得できる楽曲データは、カラオケコマンダーに入っていない、国内外の楽曲であっても良い。
【０１７５】
ｂ．各実施例において、マイクＭは、搬送波を音声信号で変調した電波を使うものであっても良く、ダイナミックマイクであっても良い。
【０１７６】
ｃ．各請求項に記載の持込み携帯形端末は、スマートフォン（アンドロイド、アイフォン）以外に、カラオケルームに持込みが可能な携帯形のゲーム機器（プレイステーション等）であっても良い。
【０１７７】
ｄ．図２に示す実施例２の機器選択が容易な娯楽システムＢにおいて、副電源スイッチ６６およびパソコン起動依頼ランプ６２を廃止し、代わりに、図５に示す様にパソコン起動手段６７を設けても良い（請求項２に対応）。
このパソコン起動手段６７は、ＬＥＤ通電回路５７ｂの第２のＬＥＤ８２へ通電を行う部位に電圧が引加されると、内部接点が電気的に閉成して開成する構成である。このため、据え置きパソコン４２の電源スイッチＰｓの接点が閉成して開成したと同じ状態になり、据え置きパソコン４２が起動する。
【０１７８】
この変形例１に係る機器選択が容易な娯楽システムＤは、来店客が第２の押釦スイッチ７２の第２の釦を押圧操作すると、第２のＬＥＤ８２が点灯するとともに、据え置きパソコン４２が起動するため、店員待機室で待機している店員がパソコン起動依頼ランプ６２の点灯を見て副電源スイッチ６６を押圧操作するという手間が省ける。
【０１７９】
ｅ．図１に示す実施例１の機器選択が容易な娯楽システムＡにおいて、パソコン起動依頼ランプ６２を廃止し、代わりに、図６に示す様に起動指令送出回路５７ｃからの起動指令を制御用のパソコン６４が受けると、この制御用のパソコン６４から据え置きパソコン４２へマジックパケット６０を送出する構成に変更しても良い（請求項４に対応）。
【０１８０】
この変形例２に係る機器選択が容易な娯楽システムＥは、来店客が四連動プッシュ式スイッチ１の第２押込釦１２を押込操作すると、据え置きパソコン４２が起動するため、店員待機室で待機している店員がパソコン起動依頼ランプ６２の点灯を見て制御用のパソコン６４からマジックパケット６０を据え置きパソコン４２へ送出するという操作が不要である。
【０１８１】
ｆ．図４に示す実施例３の機器選択が容易な娯楽システムＣにおいて、パソコン起動依頼ランプ６２を廃止し、代わりに、図７に示す様に、ＬＥＤ通電回路５７ｂの第２のＬＥＤ８２へ通電を行う部位に接続ケーブル６３を介して通電検出手段６８を電気接続し、通電検出手段６８が第２のＬＥＤ８２への通電を検知すると、制御用のパソコン６４から据え置きパソコンへマジックパケット６０を送出する構成に変更しても良い。
【０１８２】
この変形例３に係る機器選択が容易な娯楽システムＦは、来店客が四連動プッシュ式スイッチ１の第２押込釦１２を押込操作すると、据え置きパソコン４２が起動するため、店員待機室で待機している店員がパソコン起動依頼ランプ６２の点灯を見て制御用のパソコン６４からマジックパケット６０を据え置きパソコン４２へ送出するという操作が不要である。
【符号の説明】
【０１８３】
Ａ、Ｂ、Ｃ、Ｄ、Ｅ、Ｆ  機器選択が容易な娯楽システム
Ｔｂ  大形モニター（映像装置）
Ｔｓ  小形モニター（映像装置）
Ｍ  マイク
ｍ  変調した赤外線
ｓ１  電気接点
ｓ２  電気接点
ｓ３  電気接点
ｓ４  電気接点
１  四連動プッシュ式スイッチ
２  音響装置
３  マイクレシーバー
５  音響映像セレクター
６  ハブ付ルータ
１１  第１押込釦
１２  第２押込釦
１３  第３押込釦
１４  第４押込釦
２１  スピーカー
２２  アンプ
３１  一方のアナログの音声信号（一方の音声信号）
３２  他方のアナログの音声信号（他方の音声信号）
４１  カラオケコマンダー
４２  据え置きパソコン
４３  ブルーレイ・ディスクプレーヤー
４４  ＨＤＭＩコンバーター（信号変換器）
５１  音声ミキサー
５２  第１の音響信号重畳回路
５３  第２の音響信号重畳回路
５４  第３の音響信号重畳回路
５５  押込検出回路
５５ｂ  押圧検出回路
５６  マイクロコンピューター
５７  ＬＥＤ通電回路（起動指令送出回路）
５７ｂ  ＬＥＤ通電回路（起動指令送出回路）
５８  電子スイッチ
６０  マジックパケット
６１  第１のＬＡＮケーブル
６２  パソコン起動依頼ランプ
６３  接続ケーブル
６４  制御用のパソコン
６６  副電源スイッチ
７１  第１の押釦スイッチ
７２  第２の押釦スイッチ
７３  第３の押釦スイッチ
７４  第４の押釦スイッチ
８１  第１のＬＥＤ
８２  第２のＬＥＤ
８３  第３のＬＥＤ
８４  第４のＬＥＤ
４１１  ネットワーク
４１２  楽曲背景映像のデジタル映像信号（楽曲背景映像の映像信号）                ４２１  デジタル映像信号
４３１  デジタル映像信号
４４１  デジタル映像信号
５１１  調整済音声信号
５２１  第１の音響信号
５３１  第２の音響信号
５４１  第３の音響信号
【図１】
2019191316.tif 000003
【図２】
2019191316.tif 000004
【図３】
2019191316.tif 000005
【図４】
2019191316.tif 000006
【図５】
2019191316.tif 000007
【図６】
2019191316.tif 000008
【図７】
2019191316.tif 000009
【手続補正書】
【提出日】平成30年8月30日(2018.8.30)
【手続補正１】
【補正対象書類名】特許請求の範囲
【補正対象項目名】全文
【補正方法】変更
【補正の内容】
【特許請求の範囲】
【請求項１】
第１〜第４の釦を押圧すると各電気接点が閉成する単投形の第１〜第４の押釦スイッチと、      
該第１〜第４の押釦スイッチの近傍に配設される第１〜第４のランプと、
スピーカー群とアンプとを備えた音響装置と、
動画や静止画の表示が可能な映像装置と、
歌唱者が発声する音声を音声電気信号に変換するとともに、この音声電気信号を赤外線や電波に重畳させるマイクと、
捉えた前記赤外線や前記電波から前記音声電気信号を復調して増幅し、この増幅した音声信号を二系統出力するマイクレシーバーと、
ネットワークを介してサーバから配信される多数の楽曲データーを格納する記憶装置を有し、楽曲背景映像の映像信号と、前記マイクレシーバーが出力する一方の音声信号を楽曲空演奏の音響信号に重畳した歌唱入音響信号とを出力するカラオケコマンダーと、
インターネット回線に接続されるとともに、押しボタン式の電源スイッチを有し、映像信号および音響信号を出力する据え置きパソコンと、
各種光ディスクが再生可能であり、映像信号および音響信号を出力する光ディスクプレーヤーと、
持込み携帯形端末の出力ポートに接続し、映像信号および音響信号を出力する信号変換器と、
前記マイクレシーバーが出力する他方の音声信号のレベルを調整し、この調整済音声信号を出力する音声ミキサー、該音声ミキサーが出力する前記調整済音声信号と前記据え置きパソコンが出力する前記音響信号とを重畳して第１の音響信号を出力する第１の音響信号重畳回路、前記音声ミキサーが出力する前記調整済音声信号と前記光ディスクプレーヤーが出力する前記音響信号とを重畳して第２の音響信号を出力する第２の音響信号重畳回路、前記音声ミキサーが出力する前記調整済音声信号と前記信号変換器が出力する前記音響信号とを重畳して第３の音響信号を出力する第３の音響信号重畳回路、前記第１〜第４の釦の押圧を各電気接点の閉成から検出する押圧検出回路、マイクロコンピューター、前記第１〜第４のランプへ通電を行うランプ通電回路、および電子スイッチを備えた音響映像セレクターとをカラオケルームに配設し、
前記据え置きパソコンの前記電源スイッチへ操作ケーブルにより電気接続した副電源スイッチと、前記ランプ通電回路の前記第２のランプへ通電を行う部位に接続ケーブルにより電気接続し前記副電源スイッチの近傍に設けられるパソコン起動依頼ランプとを店員待機室に配設した機器選択が容易な娯楽システムであって、
前記マイクロコンピューターは、
前記第１の釦のみの押圧を前記押圧検出回路が検出すると、前記カラオケコマンダーの前記映像信号および前記歌唱入音響信号が、それぞれ、前記映像装置および前記音響装置の前記アンプへ入力される様に前記電子スイッチを操作するとともに、前記第１のランプへ通電を行う様に前記ランプ通電回路へ指示し、
前記第２の釦のみの押圧を前記押圧検出回路が検出すると、前記据え置きパソコンが出力する前記映像信号および前記第１の音響信号が、それぞれ、前記映像装置および前記音響装置の前記アンプへ入力される様に前記電子スイッチを操作するとともに、前記第２のランプへ通電を行う様に前記ランプ通電回路へ指示し、
前記第３の釦のみの押圧を前記押圧検出回路が検出すると、前記光ディスクプレーヤーが出力する前記映像信号および前記第２の音響信号が、それぞれ、前記映像装置および前記音響装置の前記アンプへ入力される様に前記電子スイッチを操作するとともに、前記第３のランプへ通電を行う様に前記ランプ通電回路へ指示し、
前記第４の釦のみの押圧を前記押圧検出回路が検出すると、前記信号変換器が出力する前記映像信号および前記第３の音響信号が、それぞれ、前記映像装置および前記音響装置の前記アンプへ入力される様に前記電子スイッチを操作するとともに、前記第４のランプへ通電を行う様に前記ランプ通電回路へ指示することを特徴とする機器選択が容易な娯楽システム。
【請求項２】
第１〜第４押込釦の内の任意の押込釦の押込操作により他の押込釦を初期位置に復帰させて各電気接点を開閉する単投形の四連動プッシュ式スイッチと、 
スピーカー群とアンプとを備えた音響装置と、
動画や静止画の表示が可能な映像装置と、
歌唱者が発声する音声を音声電気信号に変換するとともに、この音声電気信号を赤外線や電波に重畳させるマイクと、
捉えた前記赤外線や前記電波から前記音声電気信号を復調して増幅し、この増幅した音声信号を二系統出力するマイクレシーバーと、
ネットワークを介してサーバから配信される多数の楽曲データーを格納する記憶装置を有し、楽曲背景映像の映像信号と、前記マイクレシーバーが出力する一方の音声信号を楽曲空演奏の音響信号に重畳した歌唱入音響信号とを出力するカラオケコマンダーと、
マジックパケットを受信すると起動する様にＢＩＯＳでＷａｋｅ  Ｏｎ  ＬＡＮが設定され、映像信号および音響信号を出力する据え置きパソコンと、
各種光ディスクが再生可能であり、映像信号および音響信号を出力する光ディスクプレーヤーと、
持込み携帯形端末の出力ポートに接続し、映像信号および音響信号を出力する信号変換器と、
前記マイクレシーバーが出力する他方の音声信号のレベルを調整し、この調整済音声信号を出力する音声ミキサー、該音声ミキサーが出力する前記調整済音声信号と前記据え置きパソコンが出力する前記音響信号とを重畳して第１の音響信号を出力する第１の音響信号重畳回路、前記音声ミキサーが出力する前記調整済音声信号と前記光ディスクプレーヤーが出力する前記音響信号とを重畳して第２の音響信号を出力する第２の音響信号重畳回路、前記音声ミキサーが出力する前記調整済音声信号、前記信号変換器が出力する前記音響信号とを重畳して第３の音響信号を出力する第３の音響信号重畳回路、前記第１〜第４押込釦の押込を各電気接点の閉成状態から検出する押込検出回路、マイクロコンピューター、起動指令送出回路、および電子スイッチを備えた音響映像セレクターとをカラオケルームに配設し、
第１のＬＡＮケーブルを介して前記カラオケルームに配置した前記パソコンにＬＡＮ接続され、インターネットに常時接続されるハブ付ルーターと、
前記カラオケルームに配置した前記音響映像セレクターの前記起動指令送出回路に接続ケーブルを介して電気接続されるパソコン起動依頼ランプと、
第２のＬＡＮケーブル、前記ハブ付ルーター、および前記第１のＬＡＮケーブルを介して前記据え置きパソコンへ前記マジックパケットを送出可能な制御用のパソコンとを店員待機室に配設した機器選択が容易な娯楽システムであって、
前記マイクロコンピューターは、
前記第１押込釦の押込を前記押込検出回路が検出すると、前記カラオケコマンダーの前記映像信号および前記歌唱入音響信号が、それぞれ、前記映像装置および前記音響装置の前記アンプへ入力される様に前記電子スイッチを操作し、
前記第２押込釦の押込を前記押込検出回路が検出すると、前記据え置きパソコンが出力する前記映像信号および前記第１の音響信号が、それぞれ、前記映像装置および前記音響装置の前記アンプへ入力される様に前記電子スイッチを操作するとともに、起動指令として前記パソコン起動依頼ランプへ通電を行う様に前記起動指令送出回路へ指示し、
前記第３押込釦の押込を前記押込検出回路が検出すると、前記光ディスクプレーヤーが出力する前記映像信号および前記第２の音響信号が、それぞれ、前記映像装置および前記音響装置の前記アンプへ入力される様に前記電子スイッチを操作し、
前記第４押込釦の押込を前記押込検出回路が検出すると、前記信号変換器が出力する前記映像信号および前記第３の音響信号が、それぞれ、前記映像装置および前記音響装置の前記アンプへ入力される様に前記電子スイッチを操作することを特徴とする機器選択が容易な娯楽システム。
【請求項３】
第１〜第４押込釦の内の任意の押込釦の押込操作により他の押込釦を初期位置に復帰させて各電気接点を開閉する単投形の四連動プッシュ式スイッチと、 
該四連動プッシュ式スイッチの第１〜第４押込釦の近傍に配設される第１〜第４のランプと、
スピーカー群とアンプとを備えた音響装置と、
動画や静止画の表示が可能な映像装置と、
歌唱者が発声する音声を音声電気信号に変換するとともに、この音声電気信号を赤外線や電波に重畳させるマイクと、
捉えた前記赤外線や前記電波から前記音声電気信号を復調して増幅し、この増幅した音声信号を二系統出力するマイクレシーバーと、
ネットワークを介してサーバから配信される多数の楽曲データーを格納する記憶装置を有し、楽曲背景映像の映像信号と、前記マイクレシーバーが出力する一方の音声信号を楽曲空演奏の音響信号に重畳した歌唱入音響信号とを出力するカラオケコマンダーと、
マジックパケットを受信すると起動する様にＢＩＯＳでＷａｋｅ  Ｏｎ  ＬＡＮが設定され、映像信号および音響信号を出力する据え置きパソコンと、
各種光ディスクが再生可能であり、映像信号および音響信号を出力する光ディスクプレーヤーと、
持込み携帯形端末の出力ポートに接続し、映像信号および音響信号を出力する信号変換器と、
前記マイクレシーバーが出力する他方の音声信号のレベルを調整し、この調整済音声信号を出力する音声ミキサー、該音声ミキサーが出力する前記調整済音声信号と前記据え置きパソコンが出力する前記音響信号とを重畳して第１の音響信号を出力する第１の音響信号重畳回路、前記音声ミキサーが出力する前記調整済音声信号と前記光ディスクプレーヤーが出力する前記音響信号とを重畳して第２の音響信号を出力する第２の音響信号重畳回路、前記音声ミキサーが出力する前記調整済音声信号と前記信号変換器が出力する前記音響信号とを重畳して第３の音響信号を出力する第３の音響信号重畳回路、前記第１〜第４押込釦の押込を各電気接点の閉成状態から検出する押込検出回路、マイクロコンピューター、前記第１〜第４のランプへ通電を行うランプ通電回路、および電子スイッチを備えた音響映像セレクターとをカラオケルームに配設し、
第１のＬＡＮケーブルを介して前記カラオケルームに配置した前記据え置きパソコンにＬＡＮ接続され、インターネットに常時接続されるハブ付ルーターと、
前記カラオケルームに配置した前記音響映像セレクターの前記ランプ通電回路の前記第２のランプへ通電を行う部位に、接続ケーブルを介して電気接続したパソコン起動依頼ランプと、
第２のＬＡＮケーブル、前記ハブ付ルーター、および前記第１のＬＡＮケーブルを介して前記パソコンへ前記マジックパケットを送出可能な制御用のパソコンとを店員待機室に配設した娯楽システムであって、
前記マイクロコンピューターは、
前記第１押込釦の押込を前記押込検出回路が検出すると、前記カラオケコマンダーの前記映像信号および前記歌唱入音響信号が、それぞれ、前記映像装置および前記音響装置の前記アンプへ入力される様に前記電子スイッチを操作するとともに、前記第１のランプへ通電を行う様に前記ランプ通電回路へ指示し、
前記第２押込釦の押込を前記押込検出回路が検出すると、前記据え置きパソコンが出力する前記映像信号および前記第１の音響信号が、それぞれ、前記映像装置および前記音響装置の前記アンプへ入力される様に前記電子スイッチを操作するとともに、前記第２のランプへ通電を行う様に前記ランプ通電回路へ指示し、
前記第３押込釦の押込を前記押込検出回路が検出すると、前記光ディスクプレーヤーが出力する前記映像信号および前記第２の音響信号が、それぞれ、前記映像装置および前記音響装置の前記アンプへ入力される様に前記電子スイッチを操作するとともに、前記第３のランプへ通電を行う様に前記ランプ通電回路へ指示し、
前記第４押込釦の押込を前記押込検出回路が検出すると、前記信号変換器が出力する前記映像信号および前記第３の音響信号が、それぞれ、前記映像装置および前記音響装置の前記アンプへ入力される様に前記電子スイッチを操作するとともに、前記第４のランプへ通電を行う様に前記ランプ通電回路へ指示することを特徴とする機器選択が容易な娯楽システム。
【手続補正２】
【補正対象書類名】明細書
【補正対象項目名】００３９
【補正方法】削除
【補正の内容】
【手続補正３】
【補正対象書類名】明細書
【補正対象項目名】００４０
【補正方法】削除
【補正の内容】
【手続補正４】
【補正対象書類名】明細書
【補正対象項目名】００４１
【補正方法】変更
【補正の内容】
【００４１】
［請求項２について］
請求項２の機器選択が容易な娯楽システムは、四連動プッシュ式スイッチと、音響装置と、映像装置と、マイクと、マイクレシーバーと、カラオケコマンダーと、据え置きパソコンと、光ディスクプレーヤーと、信号変換器と、音響映像セレクターとをカラオケルームに配設している。そして、ハブ付ルーターと、パソコン起動依頼ランプと、制御用のパソコンとを店員待機室に配置している。
【手続補正５】
【補正対象書類名】明細書
【補正対象項目名】００５６
【補正方法】変更
【補正の内容】
【００５６】
請求項２の機器選択が容易な娯楽システムは、下記の利点を有する。
カラオケ店に来店した来店者（同伴者も含む）が、四連動プッシュ式スイッチの第１〜第４押込釦の内の何れかの押込釦を押圧すれば、四種類の機器（カラオケコマンダー、据え置きパソコン、光ディスクプレーヤー、持込み携帯形端末）を簡単に切り替えることができる。
【手続補正６】
【補正対象書類名】明細書
【補正対象項目名】００６１
【補正方法】変更
【補正の内容】
【００６１】
請求項２の機器選択が容易な娯楽システムは、四連動プッシュ式スイッチの第２押込釦を押圧操作して、店員待機室のパソコン起動依頼ランプが点灯してカラオケルームの据え置きパソコンの起動を店員に依頼し、店員が制御用のパソコンからマジックパケットを据え置きパソコンへ送るまでは、据え置きパソコンの電源がオフになっているので、据え置きパソコンの故障防止が図れるとともに、節電も図れる。なお、カラオケルームの据え置きパソコンの電源スイッチは、カラオケルームの来店者が勝手に操作できない様にしておくのが好適である。
【手続補正７】
【補正対象書類名】明細書
【補正対象項目名】００６２
【補正方法】削除
【補正の内容】
【手続補正８】
【補正対象書類名】明細書
【補正対象項目名】００６３
【補正方法】削除
【補正の内容】
【手続補正９】
【補正対象書類名】明細書
【補正対象項目名】００６４
【補正方法】変更
【補正の内容】
【００６４】
［請求項３について］
請求項３の機器選択が容易な娯楽システムは、四連動プッシュ式スイッチと、音響装置と、映像装置と、マイクと、マイクレシーバーと、カラオケコマンダーと、音声ミキサーと、据え置きパソコンと、光ディスクプレーヤーと、信号変換器と、音響映像セレクターとをカラオケルームに配設している。そして、ハブ付ルーターと、パソコン起動依頼ランプと、制御用のパソコンとを店員待機室に配設している。
【手続補正１０】
【補正対象書類名】明細書
【補正対象項目名】００７９
【補正方法】変更
【補正の内容】
【００７９】
請求項３の機器選択が容易な娯楽システムは、以下の利点を有する。
カラオケ店に来店した来店者（同伴者も含む）が、四連動プッシュ式スイッチの第１〜第４押込釦の内の何れかの押込釦を押圧操作すれば、四種類の機器（カラオケコマンダー、据え置きパソコン、光ディスクプレーヤー、持込み携帯形端末）を簡単に切り替えることができる。
【手続補正１１】
【補正対象書類名】明細書
【補正対象項目名】００８４
【補正方法】変更
【補正の内容】
【００８４】
請求項３の機器選択が容易な娯楽システムは、四連動プッシュ式スイッチの第２押込釦を押込操作して、店員待機室のパソコン起動依頼ランプを点灯させる事によりカラオケルームの据え置きパソコンの起動を店員に依頼し、店員が制御用のパソコンからマジックパケットを据え置きパソコンへ送るまでは、据え置きパソコンの電源がオフになっているので、据え置きパソコンの故障防止が図れるとともに、節電も図れる。なお、カラオケルームの据え置きパソコンの電源スイッチは、カラオケルームの来店者が勝手に操作できない様にしておくのが好適である。
【手続補正１２】
【補正対象書類名】明細書
【補正対象項目名】００８５
【補正方法】削除
【補正の内容】
【手続補正１３】
【補正対象書類名】明細書
【補正対象項目名】００８６
【補正方法】削除
【補正の内容】
【手続補正１４】
【補正対象書類名】明細書
【補正対象項目名】００８７
【補正方法】変更
【補正の内容】
【００８７】
【図１】本発明の実施例１に係る機器選択が容易な娯楽システムのブロック図である。
【図２】本発明の実施例２に係る機器選択が容易な娯楽システムのブロック図である。
【図３】実施例２の機器選択が容易な娯楽システムのマイクロコンピュータの作動を示すフローチャートである。
【図４】本発明の実施例３に係る機器選択が容易な娯楽システムのブロック図である。
【手続補正１５】
【補正対象書類名】明細書
【補正対象項目名】００８９
【補正方法】変更
【補正の内容】
【００８９】
本発明の実施例１に係る機器選択が容易な娯楽システムＡ（請求項２に対応）を図１に基づいて説明する。
図１に示す機器選択が容易な娯楽システムＡは、四連動プッシュ式スイッチ１と、音響装置２と、映像装置である大形モニターＴｂおよび小形モニターＴｓと、マイクＭと、マイクレシーバー３と、カラオケコマンダー４１と、据え置きパソコン４２と、ブルーレイ・ディスク｛Blu-ray Disc（登録商標）｝プレーヤー４３と、信号変換器であるＨＤＭＩコンバーター４４と、音響映像セレクター５とをカラオケルームに配設している。また、ハブ付ルータ６と、パソコン起動依頼ランプ６２と、制御用のパソコン６４とを店員待機室に配設している。
【手続補正１６】
【補正対象書類名】明細書
【補正対象項目名】０１６２
【補正方法】変更
【補正の内容】
【０１６２】
本発明の実施例３に係る機器選択が容易な娯楽システムＣ（請求項３に対応）を図４に基づいて説明する。
この機器選択が容易な娯楽システムＣは、下記の点が実施例１の機器選択が容易な娯楽システムＡと異なる。
【手続補正１７】
【補正対象書類名】明細書
【補正対象項目名】０１７７
【補正方法】削除
【補正の内容】
【手続補正１８】
【補正対象書類名】明細書
【補正対象項目名】０１７８
【補正方法】削除
【補正の内容】
【手続補正１９】
【補正対象書類名】明細書
【補正対象項目名】０１７９
【補正方法】削除
【補正の内容】
【手続補正２０】
【補正対象書類名】明細書
【補正対象項目名】０１８０
【補正方法】削除
【補正の内容】
【手続補正２１】
【補正対象書類名】明細書
【補正対象項目名】０１８１
【補正方法】削除
【補正の内容】
【手続補正２２】
【補正対象書類名】明細書
【補正対象項目名】０１８２
【補正方法】削除
【補正の内容】
【手続補正２３】
【補正対象書類名】明細書
【補正対象項目名】０１８３
【補正方法】変更
【補正の内容】
【０１８３】
Ａ、Ｂ、Ｃ  機器選択が容易な娯楽システム
Ｔｂ  大形モニター（映像装置）
Ｔｓ  小形モニター（映像装置）
Ｍ  マイク
ｍ  変調した赤外線
ｓ１  電気接点
ｓ２  電気接点
ｓ３  電気接点
ｓ４  電気接点
１  四連動プッシュ式スイッチ
２  音響装置
３  マイクレシーバー
５  音響映像セレクター
６  ハブ付ルータ
１１  第１押込釦
１２  第２押込釦
１３  第３押込釦
１４  第４押込釦
２１  スピーカー
２２  アンプ
３１  一方のアナログの音声信号（一方の音声信号）
３２  他方のアナログの音声信号（他方の音声信号）
４１  カラオケコマンダー
４２  据え置きパソコン
４３  ブルーレイ・ディスクプレーヤー
４４  ＨＤＭＩコンバーター（信号変換器）
５１  音声ミキサー
５２  第１の音響信号重畳回路
５３  第２の音響信号重畳回路
５４  第３の音響信号重畳回路
５５  押込検出回路
５５ｂ  押圧検出回路
５６  マイクロコンピューター
５７  ＬＥＤ通電回路（起動指令送出回路）
５７ｂ  ＬＥＤ通電回路（起動指令送出回路）
５８  電子スイッチ
６０  マジックパケット
６１  第１のＬＡＮケーブル
６２  パソコン起動依頼ランプ
６３  接続ケーブル
６４  制御用のパソコン
６６  副電源スイッチ
７１  第１の押釦スイッチ
７２  第２の押釦スイッチ
７３  第３の押釦スイッチ
７４  第４の押釦スイッチ
８１  第１のＬＥＤ
８２  第２のＬＥＤ
８３  第３のＬＥＤ
８４  第４のＬＥＤ
４１１  ネットワーク
４１２  楽曲背景映像のデジタル映像信号（楽曲背景映像の映像信号）                ４２１  デジタル映像信号
４３１  デジタル映像信号
４４１  デジタル映像信号
５１１  調整済音声信号
５２１  第１の音響信号
５３１  第２の音響信号
５４１  第３の音響信号
【手続補正２４】
【補正対象書類名】図面
【補正対象項目名】図５
【補正方法】削除
【補正の内容】
【手続補正２５】
【補正対象書類名】図面
【補正対象項目名】図６
【補正方法】削除
【補正の内容】
【手続補正２６】
【補正対象書類名】図面
【補正対象項目名】図７
【補正方法】削除
【補正の内容】